(57)【要約】  スマートカードはカード所持者を認証する。このスマートカードは、基板、センサモジュール、無線トランシーバモジュール及び電力回路を含む。センサモジュールは、（ａ）人体から生体情報を検出するように構成された生体計測センサと、（ｂ）検出された生体情報に応答して人物を認証し、認証結果を示す認証信号を生成するように構成されたプロセッサユニットと、（ｃ）スマートカードに関連する特定個人の生体情報を記憶するように構成されたメモリと、を含む。無線トランシーバモジュールは、プロセッサユニットから受け取った信号を送信し、また無線送信された電力信号を受信する。電力回路は、電力信号から１つ以上の電源電圧を生成して該電源電圧をセンサモジュールに供給する。電子パスポートにはスマートカードが組み込まれ、端末モジュールは、電子パスポートに電力を無線送信し、そして電子パスポートから信号を受信するために使用される。【選択図】図２
2007535073.tif 000002
【特許請求の範囲】
【請求項１】
スマートカードを所持する人物を認証するための該スマートカードにおいて、
基板と、
前記基板上に設けられたセンサモジュールであって、
人体から生体情報を検出するように構成された生体計測センサと、
前記生体計測センサに結合されたプロセッサユニットであって、検出された生体情報に応答して人物を認証し、かつ認証結果を示す認証信号を生成するように構成されたプロセッサユニットと、
前記プロセッサユニットに結合されたメモリであって、スマートカードに関連する特定個人の生体情報を記憶するように構成されたメモリと、を含むセンサモジュールと、
前記プロセッサユニットに結合された無線トランシーバモジュールであって、前記プロセッサユニットから受けた信号を送信し、かつ無線送信された電力信号を受信するように構成された無線トランシーバモジュールと、
前記基板上に設けられた電力回路であって、受信した電力信号から１つ以上の電源電圧を生成して、該電源電圧を前記センサモジュールに供給するように構成された電力回路と、
を備えたスマートカード。
【請求項２】
前記メモリが、
ランダムアクセスメモリ（ＲＡＭ）と、
１回だけプログラム可能な読み出し専用メモリ（ＰＲＯＭ）と、
を含む、請求項１に記載のスマートカード。
【請求項３】
前記の１回だけプログラム可能な読み出し専用メモリ（ＰＲＯＭ）には、
消去可能かつプログラム可能な読み出し専用メモリ（ＥＰＲＯＭ）と、
電気的に消去可能とされ、かつプログラム可能な読み出し専用メモリ（ＥＥＰＲＯＭ）と、
フラッシュメモリと、が含まれ、前記ＰＲＯＭの再書き込み可能機能が無効化される、請求項２に記載のスマートカード。
【請求項４】
前記無線トランシーバモジュールが、
前記電力回路に結合された電力アンテナであって、前記電力信号を受信するように構成された電力アンテナと、
前記プロセッサユニットに結合される信号アンテナであって、前記プロセッサユニットから受けた信号を送信するように構成された信号アンテナと、
を含む請求項１に記載のスマートカード。
【請求項５】
前記信号アンテナが前記電力アンテナよりも実質的に小さくされた、請求項４に記載のスマートカード。
【請求項６】
前記スマートカードは、前記信号アンテナからの信号を受信するように構成されたモジュールアンテナを含む端末モジュールとともに使用され、前記信号アンテナが該モジュールアンテナのループ又は配線に近接した位置に置かれる、請求項４に記載のスマートカード。
【請求項７】
前記電力回路が、
前記電力アンテナに結合される整流器と、
前記整流器に結合されるレギュレータと、
を含む、請求項４に記載のスマートカード。
【請求項８】
前記整流器が倍電圧整流器を含む、請求項７に記載のスマートカード。
【請求項９】
前記レギュレータが、
降圧レギュレータと、
スイッチング・レギュレータと、
フライバック・レギュレータと、
のうちの１つを含む、請求項７に記載のスマートカード。
【請求項１０】
前記整流器が、ショットキーダイオードを含む、請求項７に記載のスマートカード。
【請求項１１】
前記無線トランシーバモジュールが複数の電力アンテナを含み、
前記電力回路が複数のレギュレータ回路を含むとともに、該レギュレータ回路の各々が複数の電力アンテナのうちの対応する１つに結合されている、請求項４に記載のスマートカード。
【請求項１２】
前記複数の電力アンテナの各々が５未満の巻数を有する、請求項１１に記載のスマートカード。
【請求項１３】
前記複数の電力アンテナの各々がほぼ同じ長さを有する、請求項１１に記載のスマートカード。
【請求項１４】
前記複数の電力アンテナが、プラスチック材料又は紙材料の上でエッチングされるか又は印刷されたパターンとして形成された、請求項１１に記載のスマートカード。
【請求項１５】
前記無線トランシーバモジュールは、電磁波を送信するとともに受信することが可能である、請求項１に記載のスマートカード。
【請求項１６】
前記無線トランシーバモジュールは、超音波を送信するとともに受信することが可能である、請求項１に記載のスマートカード。
【請求項１７】
前記無線トランシーバモジュールは、光波を送信するとともに受信することが可能である、請求項１に記載のスマートカード。
【請求項１８】
前記無線トランシーバモジュールは、赤外線波を送信するとともに受信することが可能である、請求項１に記載のスマートカード。
【請求項１９】
前記生体計測センサが、指紋パターンを検出するように構成された指紋センサを含む、請求項１に記載のスマートカード。
【請求項２０】
前記指紋センサが、指の表面形状を読み取るように構成された、請求項１９に記載のスマートカード。
【請求項２１】
前記指紋センサが、指の表面形状を機械的に測定するように構成され、前記指紋センサが、
圧力検知セルアレイ又はスキャナと、
マイクロエレクトロメカニカル（ＭＥＭ）アレイ又はスキャナと、
機械的応力アレイ又はスキャナと、
距離測定セルアレイ又はスキャナと、
弾性測定アレイ又はスキャナと、
マイクロスイッチアレイ又はスキャナと
のうち、いずれか１つを含む、請求項２０に記載のスマートカード。
【請求項２２】
前記指紋センサが指の皮膚の温度分布を測定するように構成された、請求項２０に記載のスマートカード。
【請求項２３】
前期指紋センサが赤外線検出アレイ又はスキャナを含む、請求項２２に記載のスマートカード。
【請求項２４】
前記指紋センサが、指紋パターンを検出してデジタル化するように構成される、薄くされたシリコン基板を含む、請求項２０に記載のスマートカード。
【請求項２５】
前記薄くされたシリコン基板が約２００マイクロメートル未満の厚さを有する、請求項２４に記載のスマートカード。  
【請求項２６】
前記薄くされたシリコン基板が機械的補強材で強化されている、請求項２５に記載のスマートカード。
【請求項２７】
前記機械的補強材がハードポリマーを含む、請求項２６に記載のスマートカード。
【請求項２８】
前記メモリに記憶される前記生体情報が、特定個人の指紋テンプレートを含む、請求項１９に記載のスマートカード。
【請求項２９】
前記スマートカードが可撓性を有する、請求項１に記載のスマートカード。
【請求項３０】
前記生体計測センサが、絶縁体、基板、又は絶縁体及び基板としてのポリマー材料を備える、請求項２９に記載のスマートカード。
【請求項３１】
前記ポリマー材料が、
ポリイミドと、
ポリエチレンテレフタレート（ＰＥＴ）と、
ポリプロピレン（ＰＰＴ）と、
ポリカーボネートと、
ブタジエンと、
エポキシと、
ナイロンと、
テトラフルオロエチレンのポリマー（ＰＴＦＥ）と、
フッ化エチレンプロピレンのポリマー（ＦＥＰ）と、
のうち、少なくとも１つを含む、請求項３０に記載のスマートカード。
【請求項３２】
前記生体計測センサが、人物の遺伝情報を検出するように構成された遺伝情報検出器を含む、請求項１に記載のスマートカード。
【請求項３３】
前記生体計測センサが、人物の像を捉えるように構成された電荷結合デバイス（ＣＣＤ）又は金属酸化物半導体（ＭＯＳ）を含む、請求項１に記載のスマートカード。
【請求項３４】
前記人物の像には、
人物の顔と、
人物の耳と、
人物の虹彩と、
人物の網膜と、
のうち、少なくとも１つが含まれる、請求項３３に記載のスマートカード。
【請求項３５】
前記センサモジュールはスマートカードを所持する人物が生きていることを検出するように構成された生体センサをさらに含む、請求項１に記載のスマートカード。
【請求項３６】
前記生体センサが、
酸素検出器と、
二酸化炭素検出器と、
温度計と、
湿度センサと、
赤外線センサと、
音声センサと、
脳波サンサと、
心電図センサと、
電磁場センサと、
酵素センサと、
カイ（Ｃｈｉ）センサと、
のうち、少なくとも１つを含む、請求項３５に記載のスマートカード。
【請求項３７】
前記生体センサが、
それに接触した体の一部の弾性を検出するように構成された弾性センサと、
それに接触した体の部分の血流を検出するように構成された血流センサと、
のうち、少なくとも１つを含む、請求項３５に記載のスマートカード。
【請求項３８】
前記生体センサが、与えられた刺激に対する人物の反射応答を捉えるように構成された生体応答検出器を含む、請求項３５に記載のスマートカード。
【請求項３９】
前記反射応答が、その上を照明する光強度に応答する虹彩の開口変化を含む、請求項３８に記載のスマートカード。
【請求項４０】
前記生体センサが、
虹彩の像を捉えるように構成されたイメージセンサと、
人物の目を照らすように構成された発光体と、
を含む、請求項３９に記載のスマートカード。
【請求項４１】
前記センサモジュールがさらに、前記プロセッサユニットに結合されたインジケータを含み、該インジケータが認証結果を示すように構成された、請求項１に記載のスマートカード。
【請求項４２】
前記インジケータが、１つ以上の発光ダイオード（ＬＥＤ）を含む、請求項４１に記載のスマートカード。
【請求項４３】
前記インジケータが、認証結果を表示するように構成された液晶表示器（ＬＣＤ）を含む、請求項４１に記載のスマートカード。
【請求項４４】
前記インジケータが、認証結果に対応する音声信号を再生するように構成された音響再生装置を含む、請求項４１に記載のスマートカード。
【請求項４５】
前記音声信号が、認証結果に応じた異なる周波数を有する、請求項４４に記載のスマートカード。
【請求項４６】
前記音声信号が、認証結果に応じた異なる音声メッセージを有する、請求項４４に記載のスマートカード。
【請求項４７】
前記音声信号が、認証結果に応じた異なるメロディを有する、請求項４４に記載のスマートカード。
【請求項４８】
前記センサモジュールがさらに、前記プロセッサユニットに結合されたコントロールインターフェースを含み、該コントロールインターフェースが、外部コントロール信号を受けて前記プロセッサユニットを設定するように構成された、請求項１に記載のスマートカード。
【請求項４９】
前記コントロールインターフェースの、外部コントロール信号との接続が、前記プロセッサユニットの初期設定後に無効化される、請求項４８に記載のスマートカード。
【請求項５０】
前記コントロールインターフェースの、外部コントロール信号との接続が、初期設定後の物理的な切断によって、恒久的に無効化される、請求項４９に記載のスマートカード。
【請求項５１】
前記初期設定には、特定個人の生体情報を前記メモリに書き込むことが含まれる、請求項４９に記載のスマートカード。
【請求項５２】
前記プロセッサユニットが、前記プロセッサユニットによって生成された信号を、暗号化するように構成された暗号化回路を含む、請求項１に記載のスマートカード。
【請求項５３】
前記プロセッサユニットは、検出された生体情報を前記メモリ中に記憶された生体情報と比較し、認証信号を生成するように構成された認証回路を含む、請求項１に記載のスマートカード。
【請求項５４】
前記認証回路が、前記メモリ内の１回だけプログラム可能な読み出し専用メモリ（ＰＲＯＭ）に記憶された認証プログラムを含む、請求項５３に記載のスマートカード。
【請求項５５】
前記した１回だけプログラム可能な読み出し専用メモリ（ＰＲＯＭ）が、
電気的に消去可能かつプログラム可能な読み出し専用メモリ（ＥＥＰＲＯＭ）と、フラッシュメモリのうちの１つを含み、
前記ＰＲＯＭの再書き込み可能機能が無効化される、請求項５４に記載のスマートカード。
【請求項５６】
前記認証回路が、前記認証信号を暗号化するように構成された暗号化回路を含む、請求項５３に記載のスマートカード。
【請求項５７】
前記認証回路が、
ハードウェアと、
ソフトウェアと、
ファームウェアと、
ハードウェア、ソフトウェア及びファームウェアの２つ以上の組合せと、
のうちの１つを用いて実現される、請求項５３に記載のスマートカード。
【請求項５８】
前記メモリがさらに、特定個人の個人情報を記憶するように構成された、請求項５３に記載のスマートカード。
【請求項５９】
前記個人情報には、
個人識別情報と、
スマートカードの目的又は用法に関連する個人情報と、
のうち、１つ以上が含まれる、請求項５８に記載のスマートカード。
【請求項６０】
前記プロセッサユニットはさらに、検出された生体情報が記憶された生体情報と一致することが判明した場合に、前記メモリから記憶済の個人情報を読み出すように構成された読み出し回路を含む、請求項５８に記載のスマートカード。
【請求項６１】
前記プロセッサユニットがさらに、特定個人の個人情報を示す個人情報信号を生成するとともに、該個人情報信号が無線トランシーバモジュールを介して送信される、請求項６０に記載のスマートカード。
【請求項６２】
前記プロセッサユニットがさらに、前記認証回路に結合されたインターフェース回路を含み、該インターフェース回路が認証ユニットから受け取った信号を、無線送信に適した信号に変換するように構成された、請求項５３に記載のスマートカード。
【請求項６３】
前記インターフェース回路は、
前記認証回路から受け取った暗号化された信号を復号化するように構成された復号化回路と、
無線送信される信号を暗号化するように構成された暗号化回路と、
を含む、請求項６２に記載のスマートカード。
【請求項６４】
前記センサモジュールのためのクロック信号を生成するように構成された発振回路をさらに備えた、請求項１に記載のスマートカード。
【請求項６５】
電力信号を受け取るように構成されたクロックアンテナと、
前記クロックアンテナに結合されるクロック回路と、を備え、該クロック回路は、受信した電力信号からクロック信号を生成するように構成された、請求項１に記載のスマートカード。
【請求項６６】
前記生体計測センサが前記スマートカードの縁部の近傍に配置されている、請求項１に記載のスマートカード。
【請求項６７】
前記スマートカードがパスポートに組み込まれるように構成された、請求項１に記載のスマートカード。
【請求項６８】
前記スマートカードがカードタイプの電子パスポートである、請求項１に記載のスマートカード。
【請求項６９】
前記基板上に設けられたカード表層をさらに備え、前記生体計測センサが該カード表層上で目視可能に配置され、該カード表層にはパスポートに関連する所望の情報が含まれている、請求項６８に記載のスマートカード。
【請求項７０】
前記基板上に設けられた表示器をさらに備え、該表示器が前記プロセッサユニットに結合されるとともに、該表示器は、人物が認証された場合に、特定個人の顔を含む画像を表示するように構成された、請求項１に記載のスマートカード。
【請求項７１】
前記表示器は、人物が認証された場合に、特定個人の署名を表示するようにさらに構成された、請求項７０に記載のスマートカード。
【請求項７２】
前記表示器は肯定的な結果を示す認証信号によって作動する、請求項７０に記載のスマートカード。
【請求項７３】
前記生体計測センサ及び前記表示器が一体化されている、請求項７０に記載のスマートカード。
【請求項７４】
前記生体計測センサが実質的に透明であって、前記表示器の上に置かれている、請求項７３に記載のスマートカード。
【請求項７５】
内部にスマートカードを備えたパスポートにおいて、該スマートカードは、
基板と、
前記基板上に設けられたセンサモジュールであって、
人体から生体情報を検出するように構成された生体計測センサと、
前記生体計測センサに結合されたプロセッサユニットであって、検出された生体情報に応答して人物を認証し、かつ認証結果を示す認証信号を生成するように構成されたプロセッサユニットと、
前記プロセッサユニットに結合されたメモリであって、スマートカードに関連する特定個人の生体情報を記憶するように構成されたメモリと、を含むセンサモジュールと、
前記プロセッサユニットに結合された無線トランシーバモジュールであって、前記プロセッサユニットから受けた信号を送信し、かつ無線送信された電力信号を受信するように構成された無線トランシーバモジュールと、
前記基板上に設けられた電力回路であって、受信した電力信号から１つ以上の電源電圧を生成して、該電源電圧を前記センサモジュールに供給するように構成された電力回路と、
を含む、パスポート。
【請求項７６】
前記無線トランシーバモジュールが、
前記電力回路に結合された電力アンテナであって、電力信号を受信するように構成された電力アンテナと、
前記プロセッサユニットに結合された信号アンテナであって、前記プロセッサユニットから受けた信号を送信するように構成された信号アンテナと、
を含む、請求項７５に記載のパスポート。
【請求項７７】
前記電力回路が、前記電力アンテナに結合された電力回路を含み、該電力回路が１つ以上の電源電圧を生成するように構成された、請求項７６記載のパスポート。
【請求項７８】
前記信号アンテナが前記電力アンテナよりも実質的に小さくされた、請求項７６に記載のパスポート。
【請求項７９】
前記無線トランシーバモジュールが、複数の電力アンテナを含み、
前記電力回路が複数のレギュレータ回路を含むとともに、該レギュレータ回路の各々が複数のアンテナのうちの対応する１つに結合される、請求項７６に記載のパスポート。
【請求項８０】
前記複数の電力アンテナの各々が５未満の巻数を有する、請求項７９に記載のパスポート。
【請求項８１】
前記複数の電力アンテナの各々がほぼ同じ長さを有する、請求項７９に記載のパスポート。
【請求項８２】
前記複数の電力アンテナが、プラスチック材料又は紙材料の上でエッチングされるか又は印刷されたパターンとして形成された、請求項７９に記載のパスポート。
【請求項８３】
前記無線トランシーバモジュールは、電磁波を送信するとともに受信することが可能である、請求項７５に記載のパスポート。
【請求項８４】
前記無線トランシーバモジュールは、超音波を送信するとともに受信することが可能である、請求項７５に記載のパスポート。
【請求項８５】
前記無線トランシーバモジュールは、光波を送信するとともに受信することが可能である、請求項７５に記載のパスポート。
【請求項８６】
前記無線トランシーバモジュールは、赤外線波を送信するとともに受信することが可能である、請求項７５に記載のパスポート。
【請求項８７】
前記生体計測センサが、指紋パターンを検出するための指紋センサを含む、請求項７５に記載のパスポート。
【請求項８８】
前記メモリに記憶される前記生体情報が、特定個人の指紋テンプレートを含む、請求項８７に記載のパスポート。
【請求項８９】
前記生体計測センサが、人物の遺伝情報を検出するように構成された遺伝情報検出器を含む、請求項７５に記載のパスポート。
【請求項９０】
前記生体計測センサが、人物の像を捉えるように構成された電荷結合デバイス（ＣＣＤ）又は金属酸化物半導体（ＭＯＳ）を含む、請求項７５に記載のパスポート。
【請求項９１】
前記人物の像には、
人物の顔と、
人物の耳と、
人物の虹彩と、
人物の網膜と、
のうち、少なくとも１つが含まれる、請求項９０に記載のパスポート。
【請求項９２】
前記センサモジュールは、スマートカードを所持する人物が生きていることを検出するように構成された生体センサをさらに含む、請求項７５に記載のパスポート。
【請求項９３】
前記生体センサが、
酸素検出器と、
二酸化炭素検出器と、
温度計と、
湿度計と、
赤外線センサと、
のうち、少なくとも１つを含む、請求項９２に記載のパスポート。
【請求項９４】
前記生体センサが、
それに接触した体の一部の弾性を検出するように構成された弾性センサと、
それに接触した体の部分の血流を検出するように構成された血流センサと、
のうち、少なくとも１つを含む、請求項９２に記載のパスポート。
【請求項９５】
前記生体センサが、与えられた刺激に対する人物の反射応答を捉えるように構成された生体応答検出器を含む、請求項９２に記載のパスポート。
【請求項９６】
前記反射応答が、その上を照明する光強度に応答する虹彩の開口変化を含む、請求項９５に記載のパスポート。
【請求項９７】
前記生体センサが、
虹彩の像を捉えるように構成されたイメージセンサと、
人物の目を照らすように構成された発光体と、
を含む、請求項９６に記載のパスポート。
【請求項９８】
前記センサモジュールがさらに、前記プロセッサユニットに結合されたインジケータを含み、該インジケータが認証結果を示すように構成された、請求項７５に記載のパスポート。
【請求項９９】
前記インジケータが、１つ以上の発光ダイオード（ＬＥＤ）を含む、請求項９８に記載のパスポート。
【請求項１００】
前記インジケータが、認証結果を表示するように構成された液晶表示器（ＬＣＤ）を含む、請求項９８に記載のパスポート。
【請求項１０１】
前記インジケータが、認証結果に対応する音声信号を再生するように構成された音響再生装置を含む、請求項９８に記載のパスポート。
【請求項１０２】
前記音声信号が、認証結果に応じた異なる周波数を有する、請求項１０１に記載のパスポート。
【請求項１０３】
前記音声信号が、認証結果に応じた異なる音声メッセージを有する、請求項１０１に記載のパスポート。
【請求項１０４】
前記音声信号が、認証結果に応じた異なるメロディを有する、請求項１０１に記載のパスポート。
【請求項１０５】
前記センサモジュールがさらに、前記プロセッサユニットに結合されたコントロールインターフェースを含み、該コントロールインターフェースが、外部コントロール信号を受けて前記プロセッサユニットを設定するように構成された、請求項７５に記載のパスポート。
【請求項１０６】
前記コントロールインターフェースの、外部コントロール信号との接続が、前記プロセッサユニットの初期設定後に無効化される、請求項１０５に記載のパスポート。
【請求項１０７】
前記コントロールインターフェースの、外部コントロール信号との接続が、初期設定後の物理的な切断によって、恒久的に無効化される、請求項１０６に記載のパスポート。
【請求項１０８】
前記初期設定には、特定個人の生体情報を前記メモリに書き込むことが含まれる、請求項１０６に記載のパスポート。
【請求項１０９】
前記プロセッサユニットが、前記プロセッサユニットによって生成された信号を、暗号化するように構成された暗号化回路を含む、請求項７５に記載のパスポート。
【請求項１１０】
前記プロセッサユニットは、検出された生体情報を前記メモリ中に記憶された生体情報と比較し、認証信号を生成するように構成された識別回路を含む、請求項７５に記載のパスポート。
【請求項１１１】
前記認証回路が、前記認証信号を暗号化するように構成された暗号化回路を含む、請求項１１０に記載のパスポート。
【請求項１１２】
前記認証回路が、
ハードウェアと、
ソフトウェアと、
ハードウェアとソフトウェアとの組合せと、
のうちの１つを用いて実現される、請求項１１０に記載のパスポート。
【請求項１１３】
前記メモリがさらに、特定個人の個人情報を記憶するように構成された、請求項１１０に記載のパスポート。
【請求項１１４】
個人情報には、
個人識別情報と、
スマートカードの目的又は用法に関連する個人情報と、
のうち、１つ以上が含まれる、請求項１１３に記載のパスポート。
【請求項１１５】
前記プロセッサユニットはさらに、検出された生体情報が記憶された生体情報と一致することが判明した場合に、前記メモリから記憶済の個人情報を読み出すように構成された読み出し回路を含む、請求項１１３に記載のパスポート。
【請求項１１６】
前記プロセッサユニットはさらに、特定個人の個人情報を示す個人情報信号を生成するとともに、該個人情報信号が信号アンテナを介して送信される、請求項１１５に記載のパスポート。
【請求項１１７】
前記プロセッサユニットがさらに、前記認証回路に結合されたインターフェース回路を含み、該インターフェース回路は、認証ユニットから受け取った信号を、無線送信に適した信号に変換するように構成された、請求項１１０に記載のパスポート。
【請求項１１８】
前記インターフェース回路は、
前記認証回路から受け取った暗号化された信号を復号化するように構成された復号化回路と、
無線送信される信号を暗号化するように構成された暗号化回路と、
を含む、請求項１１７に記載のパスポート。
【請求項１１９】
前記センサモジュールのためのクロック信号を生成するように構成された発振回路をさらに備えた、請求項７５に記載のパスポート。
【請求項１２０】
電力信号を受け取るように構成されたクロックアンテナと、
前記クロックアンテナに結合されたクロック回路と、を備え、該クロック回路は、受信した電力信号からクロック信号を生成するように構成された、請求項７５に記載のパスポート。
【請求項１２１】
前記生体計測センサが前記スマートカードの縁部の近傍に配置されている、請求項７５に記載のパスポート。
【請求項１２２】
前記生体計測センサがパスポートの表又は裏のカバーの内側において目視可能に配置されるように、前記スマートカードがパスポートの表又は裏のカバーに組み込まれている、請求項７５に記載のパスポート。
【請求項１２３】
前記生体計測センサが前記内側において特定個人の写真及び個人データと干渉しないように、前記生体計測センサが前記内側に配置されている、請求項１２２に記載のパスポート。
【請求項１２４】
前記インジケータもまた表又は裏のカバーの前記内側において目視可能に配置されている、請求項１２２に記載のパスポート。
【請求項１２５】
前記生体計測センサ及びインジケータが、前記内側において特定個人の写真及び個人データと干渉しないように、前記生体計測センサ及びインジケータが前記内側に配置されている、請求項１２４に記載のパスポート。
【請求項１２６】
前記スマートカードがさらに、前記プロセッサユニットと結合された表示器を含み、該表示器は、人物が認証された場合に、特定個人の顔を含む写真画像を表示するように構成され、該表示器が前記パスポートの表又は裏のカバーの内側において目視可能に配置されている、請求項１２２に記載のパスポート。
【請求項１２７】
前記表示器は、人物が認証された場合に、特定個人の署名を表示するようにさらに構成された、請求項１２６に記載のパスポート。
【請求項１２８】
前記表示器は、肯定的な結果を示す認証信号によって作動する、請求項１２６に記載のパスポート。
【請求項１２９】
前記生体計測センサ及び前記表示器が一体化されている、請求項１２６に記載のパスポート。
【請求項１３０】
前記生体計測センサが実質的に透明であって、前記表示器の上に置かれている、請求項１２９に記載のパスポート。
【請求項１３１】
スマートカードを所持する人物を認証するための方法であって、該スマートカードがその基板上に設けられたセンサモジュールを含み、該センサモジュールが生体計測センサ、プロセッサユニット及びメモリを含んでおり、
前記方法は、
前記基板上に設けられた無線トランシーバモジュールを介して電力信号を受信し、
前記電力信号から１つ以上の電源電圧を生成して該電源電圧を前記センサモジュールに供給し、
前記生体計測センサによって人体から生体情報を検出し、
検出された前記生体情報と、メモリに記憶された生体情報とを比較し、
前記比較の結果を示す認証信号を生成して、
前記認証信号を、無線トランシーバモジュールを介して送信すること、を含む方法。
【請求項１３２】
前記センサモジュールがさらにインジケータを含んでおり、前記方法がさらに、
前記インジケータによって前記比較の結果を示すことを含む、請求項１３１に記載の方法。
【請求項１３３】
１つ以上の発光ダイオード（ＬＥＤ）を使用して前記結果を示すことを含む、請求項１３２に記載の方法。
【請求項１３４】
液晶表示器（ＬＣＤ）を使用して前記結果を表示することを含む、請求項１３２に記載の方法。
【請求項１３５】
前記結果を示す音声信号を再生することを含む、請求項１３２に記載の方法。
【請求項１３６】
前記音声信号が、前記結果に応じて異なる周波数を有する、請求項１３５に記載の方法。
【請求項１３７】
前記音声信号が、前記結果に応じて異なる音声メッセージを有する、請求項１３５に記載の方法。
【請求項１３８】
前記音声信号が、前記結果に応じて異なるメロディを有する、請求項１３５に記載の方法。
【請求項１３９】
前記検出において、人物の指紋パターンを検出することを含む、請求項１３１に記載の方法。
【請求項１４０】
前記比較において、指紋パターンと、メモリに記憶された指紋テンプレートとを比較することを含む、請求項１３９に記載の方法。
【請求項１４１】
前記検出において、人物の像を捉えることを含み、
その像には、
人物の顔と、
人物の耳と、
人物の虹彩と、
人物の網膜と、
のうち、少なくとも１つが含まれる、請求項１３１に記載の方法。
【請求項１４２】
前記スマートカードの所持者が生きていることを、生体センサによって検出することをさらに含む、請求項１３１に記載の方法。
【請求項１４３】
前記検出において、
酸素検出と、
二酸化炭素検出と、
温度検出と、
湿度検出と、
赤外線検出と、
のうち、少なくとも１つを含む、請求項１４２に記載の方法。
【請求項１４４】
前記検出において、
生体センサと接触する人体の一部の弾性を検出すること、
生体センサと接触する人体の部分の血流を検出すること、
のうち、少なくとも１つを含む、請求項１４２に記載の方法。
【請求項１４５】
前記検出において、与えられた刺激に対する反射応答を捉えることを含む、請求項１４２に記載の方法。
【請求項１４６】
前記反射応答が、その上を照明する光の強度に応答する虹彩の開口変化を含む、請求項１４５に記載の方法。
【請求項１４７】
人物の目を照らすことをさらに含む、請求項１４６に記載の方法。
【請求項１４８】
前記センサモジュールを設定するために、コントロールインターフェースを介して外部コントロール信号を供給し、
前記コントロールインターフェースを介して前記スマートカードに関連する特定個人の生体情報を供給して、該生体情報をメモリに記憶させ、
前記外部コントロール信号を供給するとともに前記メモリに生体情報を記憶させた後で、前記コントロールインターフェースへの接続を無効化することをさらに含む、請求項１３１に記載の方法。
【請求項１４９】
前記無効化において、前記コントロールインターフェースへの外部アクセスを物理的に切断することを含む、請求項１４８に記載の方法。
【請求項１５０】
特定個人の個人情報をメモリに記憶させることをさらに含む、請求項１４８に記載の方法。
【請求項１５１】
前記個人情報には、
個人識別情報と、
前記スマートカードの目的又は用法に関連する個人情報と、
のうち、少なくとも１つが含まれる、請求項１５０に記載の方法。
【請求項１５２】
検出された生体情報が生体情報テンプレートと一致することが判明した場合に、前記メモリから、記憶されている個人情報を読み出し、
読み出された個人情報を示す個人情報信号を生成して、
前記無線トランシーバモジュールを介して前記個人情報信号を送信することをさらに含む、請求項１５０に記載の方法。
【請求項１５３】
前記スマートカードに設けられた発振回路を用いて、前記センサモジュールのためのクロック信号を生成することをさらに含む、請求項１３１に記載の方法。
【請求項１５４】
電力信号を使用してセンサモジュールのためのクロック信号を生成することをさらに含む、請求項１３１に記載の方法。
【請求項１５５】
前記スマートカードがパスポートに組み込まれるとともに、該スマートカードに関連する特定個人は、該パスポートが発行された人物である、請求項１３１に記載の方法。
【請求項１５６】
供給電圧が遮断された後で、増加する供給電圧についての予め決められたレベルに応じてセンサモジュールを初期化することをさらに含む、請求項１３１に記載の方法。
【請求項１５７】
前記認証信号を暗号化することをさらに含む、請求項１３１に記載の方法。
【請求項１５８】
暗号化された前記認証信号を復号化し、
復号化された前記認証信号を、無線送信のための送信信号に変換して、
前記送信信号を暗号化することをさらに含む、請求項１５７に記載の方法。
【請求項１５９】
パスポートを所持する人物を認証するための装置において、
その上に他の手段を支持するための手段であって、パスポートに組み込まれるように構成された手段と、
前記パスポートに関連する特定個人の生体情報を記憶するための記憶手段と、
人体から生体情報を検出するための検出手段と、
検出された生体情報に応えて人物を認証し、かつ認証結果を示す認証信号を生成するための認証手段と、
前記認証手段から受け取った信号を、無線で送信するための無線送信手段と、
無線送信された電力信号を受信するための手段と、
受信した前記電力信号から、他の手段のための供給電圧を生成する手段と、
を備えた、装置。
【請求項１６０】
前記認証手段が、検出された生体情報と、記憶されている生体情報とを比較する手段を含む、請求項１５９に記載の装置。
【請求項１６１】
センサモジュールがさらに、前記認証結果を示すための手段を含む、請求項１５９に記載の装置。
【請求項１６２】
前記認証結果を示すための手段が、１つ以上の発光ダイオード（ＬＥＤ）を含む、請求項１６１に記載の装置。
【請求項１６３】
前記認証結果を示すための手段が、液晶表示器（ＬＣＤ）を使用して結果を表示するための手段を含む、請求項１６１に記載の装置。
【請求項１６４】
前記認証結果を示すための手段が、結果を示す音声信号の再生手段を含む、請求項１６１に記載の装置。
【請求項１６５】
前記音声信号が、結果に応じて異なる周波数を有する、請求項１６４に記載の装置。
【請求項１６６】
前記音声信号が、結果に応じて異なる音声メッセージを有する、請求項１６４に記載の装置。
【請求項１６７】
前記音声信号が、結果に応じて異なるメロディを有する、請求項１６４に記載の装置。
【請求項１６８】
前記検出手段が、人物の指紋パターンを検出する手段を含む、請求項１５９に記載の装置。
【請求項１６９】
前記認証手段が、指紋パターンを前記記憶手段に記憶されている指紋テンプレートと比較する手段を含む、請求項１６８に記載の装置。
【請求項１７０】
前記検出手段が、人物の像の捉えるための手段を含み、
その像には、
人物の顔と、
人物の耳と、
人物の虹彩と、
人物の網膜と、
のうち、少なくとも１つが含まれる、請求項１５９に記載の装置。
【請求項１７１】
前記スマートカードを所持している人物の生存の有無を検出するための手段をさらに備える、請求項１５９に記載の装置。
【請求項１７２】
人物の生存の有無を検出するための前記手段が、
酸素検出手段と、
二酸化炭素検出手段と、
温度検出手段と、
湿度検出手段と、
赤外線検出手段と、
のうち、少なくとも１つを含む、請求項１７１に記載の装置。
【請求項１７３】
人物の生存の有無を検出するための前記手段が、
生体センサと接触する人体の一部の弾性を検出するための手段と、
生体センサと接触する人体の部分の血流を検出するための手段と、
のうち、少なくとも１つを含む、請求項１７１に記載の装置。
【請求項１７４】
人物の生存の有無を検出するための前記手段が、与えられた刺激に対する人物の反射応答を捉えるための手段の少なくとも１つを含む、請求項１７１に記載の装置。
【請求項１７５】
前記反射応答が、その上を照明した光の強度に応答する虹彩の開口変化を含む、請求項１７４に記載の装置。
【請求項１７６】
人物の目を照らす手段をさらに備える、請求項１７５に記載の装置。
【請求項１７７】
センサモジュールを設定するために、コントロールインターフェースを介して外部コントロール信号を供給する手段と、
前記コントロールインターフェースを介して、前記スマートカードに関連する特定個人の生体情報を供給し、該生体情報を前記記憶手段に書き込むための手段と、
前記外部コントロール信号を供給して前記生体情報を書き込んだ後で、前記コントロールインターフェースへの接続を無効化する手段と、をさらに備える、請求項１５９に記載の装置。
【請求項１７８】
特定個人の個人情報を記憶する手段をさらに備える、請求項１５９に記載の装置。
【請求項１７９】
前記個人情報には、
個人識別情報と、
スマートカードの目的又は用法に関連する個人情報と、
のうち、少なくとも１つが含まれる、請求項１７８に記載の装置。
【請求項１８０】
検出された生体情報が生体情報テンプレートと一致することが判明した場合に、記憶されている個人情報を読み取る手段と、
読み取った個人情報を示す個人情報信号を生成する手段と、を含み、当該個人情報信号が前記無線送信手段を介して送信される、請求項１７８に記載の装置。
【請求項１８１】
発振回路を使用してクロック信号を生成する手段をさらに備える、請求項１５９に記載の装置。
【請求項１８２】
受信した電力信号を使用してクロック信号を生成する手段をさらに備える、請求項１５９に記載の装置。
【請求項１８３】
供給電圧が遮断された後で、増加する供給電圧についての予め決められたレベルに応じて前記認証手段を初期化する手段をさらに備える、請求項１５９に記載の装置。
【請求項１８４】
認証信号を暗号化する手段をさらに備える、請求項１５９に記載の装置。
【請求項１８５】
暗号化された認証信号を復号化する手段と、
復号化された認証信号を、無線送信のための送信信号に変換する手段と、
前記送信信号を暗号化する手段と、
をさらに備える、請求項１５９に記載の装置。
【請求項１８６】
スマートカードを所持する人物を認証する端末モジュールであって、該スマートカードは、その基板上に設けられたセンサモジュールと、電力回路と、無線トランシーバモジュールと、を含み、該センサモジュールが、生体計測センサと、プロセッサユニットと、メモリと、を含んでおり、
前記端末モジュールが、
その上にスマートカードを支持するように構成された支持板と、
前記支持板上に設けられたアンテナと、を備え、該アンテナが前記スマートカードに電力を送信するように構成され、該電力が前記スマートカードの無線トランシーバモジュールによって受信され、前記スマートカードの無線トランシーバモジュールから送信された信号を受信するように構成された、端末モジュール。
【請求項１８７】
前記スマートカードの無線トランシーバモジュールが、電力受信アンテナと、信号送信アンテナと、を含み、
前記スマートカードが前記支持板上に置かれた場合に、前記信号送信アンテナが実質的に前記アンテナと位置合わせされるように当該アンテナが前記支持板上に設けられた、請求項１８６に記載の端末モジュール。
【請求項１８８】
前記スマートカードから受け取った信号を復号化するように構成された復号化回路をさらに備えた、請求項１８６に記載の端末モジュール。
【請求項１８９】
コンピュータシステムに対するインターフェースをさらに備えた、請求項１８６に記載の端末モジュール。
【請求項１９０】
前記インターフェースが、
ユニバーサルシリアルバス（ＵＳＢ）規格と、
勧告基準２３２Ｃ（ＲＳ−２３２Ｃ）と、
勧告基準４３３（ＲＳ−４３３）と、
伝送制御プロトコル／インターネットプロトコル（ＴＣＰ／ＩＰ）と、
のうち、少なくとも１つと互換性がある、請求項１８６に記載の端末モジュール。
【請求項１９１】
前記アンテナが、
電力送信アンテナと、
信号受信アンテナと、
を含む、請求項１８６に記載の端末モジュール。
【請求項１９２】
前記スマートカードがパスポートに組み込まれるとともに、前記支持板が該パスポートを支持するのに適したサイズを有する、請求項１８６に記載の端末モジュール。
【請求項１９３】
パスポートを所持する人物を認証するシステムであって、パスポートに組み込まれたスマートカードを備え、該スマートカードが、
基板と、
前記基板上に設けられたセンサモジュールであって、
人体から生体情報を検出するように構成された生体計測センサと、
前記生体計測センサに結合されたプロセッサユニットであって、検出された生体情報に応答して人物を認証し、かつ認証結果を示す認証信号を生成するように構成されたプロセッサユニットと、
前記プロセッサユニットに結合されたメモリであって、前記スマートカードに関連する特定個人の生体情報を記憶するように構成されたメモリと、を含むセンサモジュールと、
前記プロセッサユニットに結合された無線トランシーバモジュールであって、前記プロセッサユニットから受けた信号を送信し、かつ無線送信された電力信号を受信するように構成された無線トランシーバモジュールと、
前記基板上に設けられた電力回路であって、受信した電力信号から電源電圧を生成して、該電源電圧を前記センサモジュールに供給するように構成された電力回路と、
を備えており、
さらに、
前記スマートカードをその上に支持するように構成された支持板と、
前記支持板上に設けられたアンテナであって、電力信号を前記スマートカードに送信し、該スマートカードの無線トランシーバモジュールから送信された信号を受信するように構成されたアンテナと、を含む端末モジュールを備えたシステム。
【請求項１９４】
無線トランシーバが、
前記電力回路に結合された電力アンテナと、
前記プロセッサユニットに結合された信号アンテナと、
を含む、請求項１９３に記載のシステム。
【請求項１９５】
前記スマートカードが前記端末モジュール上に置かれる場合に、前記信号アンテナが、前記端末モジュールの前記アンテナのループ又は配線に近接した位置に置かれる、請求項１９４に記載のシステム。
【発明の詳細な説明】
【技術分野】
【０００１】
本発明は、スマートカード及び電子パスポートに関する。特に、本発明は、生体計測センサを含むスマートカード及び電子パスポートと、スマートカード又は電子パスポートを所持する人物を認証する方法と、システム及び装置と、に関する。
【背景技術】
【０００２】
スマートカードは、集積回路（ＩＣ）カードとも呼ばれ、通常そのプラスチック筐体にマイクロプロセッサ及びメモリを含んでおり、該カードの特定の目的のために必要なデータ処理を行う能力をもっている。従来のスマートカードは、通常「クレジットカード」サイズとされ、ユーザの識別情報を記憶する簡単なメモリタイプのスマートカードから、複雑な計算能力を備えた高級なスマートカードにまで及んでいる。通常、カードリーダを使用して、ユーザ名、アカウント番号、個人識別番号（ＰＩＮ）、パスワードのような、カード所持者に関連する記憶情報を読む。このカードリーダには、接触タイプ又は非接触タイプが可能である。認証プロセスは通常、必要な情報がスマートカードからカードリーダへと読み込まれた後で、カードリーダか、あるいはローカルな又はリモート認証サーバのようなカードリーダと通信する他の認証デバイスを使って実行される。
【発明の開示】
【発明が解決しようとする課題】
【０００３】
しかしながら、そのようなスマートカードは盗難に遭うことや偽造されることがあり、またスマートカードが動作している認証／検証システムがハッキングされる可能性があり、よって、従来のスマートカードシステムは、個人情報の盗難や詐欺に対して未だ脆弱である。個人情報の窃盗犯罪の爆発的な増加のみならず、増え続けるテロリストの脅威に対して、スマートカードを使用し又は所持する個人の本人認証及び検証を行うための、より堅固で保護されたセキュリティシステムが求められている。また、そのような耐タンパー性のあるセキュリティシステムを提供してスマートカードに関連する個人情報の秘密を守ることが望ましい。
【課題を解決するための手段】
【０００４】
スマートカードはカード所持者を認証する。該スマートカードは、基板、センサモジュール、無線トランシーバモジュール、及び電力回路を含んでいる。センサモジュールは、（ａ）人体から生体情報を検出するように構成された生体計測センサと、（ｂ）検出された生体情報に応答して人物を認証し、かつ認証結果を示す認証信号を生成するように構成されたプロセッサユニットと、（ｃ）スマートカードに関連する特定個人の生体情報を記憶させるように構成されたメモリと、を含む。無線トランシーバモジュールは、プロセッサユニットから受け取った信号を送信し、かつ無線送信された電力信号を受信する。電力回路は、電力信号から少なくとも１つの電源電圧を生成して、該電源電圧をセンサモジュールに供給する。電子パスポートには、スマートカードが組み込まれ、端末モジュールは、電子パスポート又はスマートカードへと電力を無線送信し、そして電子パスポート又はスマートカードから信号を受信するために使用される。
【発明を実施するための最良の形態】
【０００５】
添付図面は、組み込まれることで本明細書の一部を構成するとともに、詳細な説明と併せて本発明の１つ以上の実施形態を示しており、本発明の原理及び実施について説明する役目をもつ。
【０００６】
本発明の実施形態については、パスポート、電子パスポート用のスマートカードと、スマートカード又は電子パスポートを所持する人物を認証する方法及びシステム、装置の範囲内でここに説明している。当業者には理解されるように、本発明にかかる以下の詳細な説明については例示のためだけであって、決して限定を意図してはいない。本発明の他の実施形態は、本開示の恩恵を受けた当業者にとっては容易に想到し得るものである。
添付図面に示す本発明の実施形態を以下詳細に参照されたい。尚、同一の参照記号は、同一又は同様の部分を参照するために、図面全体及び以下の詳細な説明を通して使用される。
【０００７】
明確化のために、ここに記述されている実施形態の決まりきった特長の全てを説明してはいない。もちろん、現実の実施上の開発において、開発者の特定の目的を達成するために、アプリケーション及びビジネスに関連する制約の順守のような多数の実施に固有の決定がなされることを要し、これらの特定の目的は、実施形態毎に、また開発者毎に異なることが分かる。さらにそのような開発の努力については複雑で多大な時間を必要とするけれども、何れにしてもこの開示の恩恵を受ける当業者にとっては開発の日常的な作業である。
【０００８】
本発明の一実施形態に従って、部品、工程段階、及び／又はデータ構造が各種のオペレーティングシステム（ＯＳ）、計算プラットフォーム、ファームウェア、計算機プログラム、計算機言語、及び／又は汎用マシンを使用して実施可能である。その方法は処理回路上で実行されるプログラムされたプロセスとして実施できる。この処理回路は、プロセッサ及びオペレーティングシステム又はスタンドアロンデバイスの多数の組み合わせの形態をとることができる。プロセスは、そのようなハードウェア、ハードウェア単独又はそれらの任意の組み合わせによって実行される命令として実現できる。ソフトウェアは、マシンで読み出し可能なプログラム格納デバイス上で記憶することができる。
【０００９】
また、当業者には認識されるように、ハードワイヤードのデバイス、フィールドプログラマブル・ゲートアレイ（ＦＰＧＡ）及びコンプレックスプログラマブル・ロジックデバイス（ＣＰＬＤ）を含むフィールドプログラマブル・ロジックデバイス（ＦＰＬＤｓ）、特定用途向けＩＣ（ＡＳＩＣ）やその他同様の、汎用性の低いデバイスについても、ここに開示した発明概念の範囲及び精神を逸脱することなく使用できる。
【００１０】
図１は、本発明の一実施形態によるスマートカードを所持する人物を認証するためのスマートカード１０を示している。図１に示すように、スマートカード１０は、基板１２と、センサモジュール１４と、電力回路１６と、無線トランシーバモジュール１８と、を含んでいる。センサモジュール１４、電力回路１６、及び無線トランシーバモジュール１８は、基板１２上に設けられている。センサモジュール１４は人体から生体情報（生体計測情報）を検出し、検出された生体情報に基づいて人物の認証を行い、そして認証結果を示す認証信号、例えば、肯定的な結果（認証成功）又は否定的な結果（認証失敗）を生成する。電力回路１６は無線トランシーバモジュール１８と結合されており、無線トランシーバモジュール１８から受信した電力信号から１つ以上の電源電圧を生成するように構成される。この電源電圧はセンサモジュール１４に対して供給される。
【００１１】
無線トランシーバモジュール１８は、センサモジュール１４及び電力回路１６と結合されている。無線トランシーバモジュール１８は、センサモジュール１４から受け取った信号（認証信号を含む）を送信するように構成されており、さらには、無線送信された電力信号を受信するように構成されている。無線トランシーバモジュール１８は電磁波を送受信することができる。しかしながら、無線トランシーバモジュール１８については、超音波、光波、赤外線波等を送受信できるように実装してもよい。
【００１２】
図２は、本発明の一実施形態に従った、スマートカード２０を示している。図２に示すように、電力アンテナ２２、信号アンテナ２４、電力回路２６、及びセンサモジュール２８が基板２１上に設けられている。電力アンテナ２２は電力回路２６に結合されており、信号アンテナ２４はセンサモジュール２８に結合されている。本例では、無線トランシーバモジュール（図１に示す）が電力アンテナ２２及び信号アンテナ２４から形成されている。電力アンテナ２２及び信号アンテナ２４については同一のアンテナであってもよいが、本例では信号アンテナ２４が別個の独立したアンテナとして設けられている。電力アンテナ２２は無線送信された電力信号を受信し、電力回路２６が、この受信した電力信号から１つ以上の電源電圧２７を生成して、該電源電圧がセンサモジュール２８に供給される。信号アンテナ２４は、センサモジュール２８から受け取った信号を送信する。本発明の一実施形態によれば、信号アンテナ２４は電力アンテナ２２よりも実質的に小さくされている。このようにして、信号アンテナ２４から送信される信号は、実質的に近距離の送信範囲をもつが、これによって、信号をスマートカードの近傍でのみ受信することができ、信号の不正な受信や傍受が防止される。
【００１３】
図２に示すように、センサモジュール２８は、生体計測センサ３０と、プロセッサユニット３２と、メモリ３４と、を備えている。また、センサモジュール２８はさらに、認証結果を示すインジケータ３６、及びプロセッサユニット３２に外部アクセスを提供する１つのコントロールインターフェース３８を含むことができる。図２に示すように、プロセッサユニット３２は生体計測センサ３０と、メモリ３４と、オプションのインジケータ３６と、コントロールインターフェース３８に結合されている。プロセッサユニット３２は、生体計測センサ３０によって検出された生体情報に応答してスマートカードの所持者を認証し、その認証結果を示す認証信号を生成するように構成されている。メモリ３４は通常、不揮発性メモリであって、スマートカードに関連付けられた特定個人の生体情報を記憶するように構成される。このメモリ３４は、図中、プロセッサユニット３２の外部に描かれているが、該メモリをプロセッサユニット３２内に組み込んでもよいことに注意されたい。また、プロセッサユニット３２は、認証を行い、命令を実行し及び／又はデータを処理するために、ランダムアクセスメモリ（ＲＡＭ）のような揮発性メモリを含む。また、プロセッサユニット３２は、信号を無線送信する前に該信号を暗号化することができる。
【００１４】
図３及び図４は、本発明の一実施形態に従ったスマートカードについて、電力アンテナ２２及び電力回路２６の部分を示している。図３に示すように、電力回路２６は、電力アンテナ２２に結合された整流器４０と、整流器４０に結合されたレギュレータ（調整器）４２を含んでいる。本例では、レギュレータ４２が、２つの電源電圧Ｖ１及びＶ２（例えば、３．３Ｖと１．８Ｖ）を生成する。本発明の一実施形態に従って、図４に示すように、無線トランシーバモジュールは、複数の電力アンテナ４４（４４ａ、４４ｂ、．．．、４４ｎ）を含むことができ、電力回路は、これに対応する複数の整流回路４６（４６ａ、４６ｂ、．．．、４６ｎ）及びレギュレータ４２を含んでいる。各組の電力アンテナ４４及び整流器４６は、１つの電流源として機能するので、これらの組は、並列に組み合わされることで、レギュレータ４２によって調整される１つの大きな電流源を形成する。
【００１５】
図５は、本発明の一実施形態に従って、３つの電力アンテナ４４（４４ａ、４４ｂ、４４ｃ）と、それらに対応する整流器４６（４６ａ、４６ｂ、４６ｃ）と、レギュレータ４２を含む電力部５２の実装について一例を示している。図５に示すように、各整流器４６は、異なった構造を持つことができる。例えば、整流器４６は、１つの倍電圧整流器であってもよく、又は、１つのショットキーダイオードを含んでもよい。同様に、レギュレータ４２については、降圧レギュレータや、スイッチング・レギュレータ、あるいはフライバック・レギュレータであってもよい。このレギュレータ４２は、下位の部分４２ａ及び４２ｂを持つことができ、その各々が異なった電源電圧に対応している。例えば、第一の部分４２ａが３．３Ｖの電源電圧を提供し、第二の部分４２ｂが１．８Ｖの電源電圧を提供する。電源電圧の数とレベルについては２つに限らず、特定の適用において所望の数やレベルの電源電圧を提供することができる。
【００１６】
また、本発明の一実施形態に従って、複数の電力アンテナ４４の各々が、５未満の巻数を持つことができる。好ましくは、電力アンテナ４４の各々が、２以下の巻数を持つ。より少ない巻数のアンテナは、より小さな自己インダクタンスを持ち、これによって、大きな電流の供給及びより高速な電流の立ち上がりが可能になる（即ち、より速い周波数応答）。また、複数の電力アンテナ４４の各々は、ほぼ同じの長さを持つことができる。さらに、電力アンテナについては、アンテナコイル又はループの内部領域（即ち、電力アンテナ４４によって生成される磁場の断面積）が最大になるように配置することができる。例えば、電力アンテナはスマートカードの周縁に沿って配置される。電力アンテナの接続ポイントは、互いに接近して配置することができる。また、電力アンテナ４４の各々は、プラスチック材料又は紙材料の上にエッチングされたパターン又は印刷パターンとして形成してもよい。電力アンテナ４４の各々は、２ｍｍ以上の幅を持つことができる。
【００１７】
図２に戻って本図を参照すると、本発明の一実施形態に従って、生体計測センサ３０は、指紋パターンを検出するように構成された指紋センサであってもよい。この指紋センサは如何なるタイプであってもよいが、濡れた指や汚れた指で触れられても、指紋パターンを高い信頼性で検出できるセンサを使用することが好ましい。また、指の表面形状、即ち、指紋パターンの谷又は山の形状と分布を読むことができる指紋センサを使用することが好ましい。例えば、そのような指紋センサには、圧力センサセルアレイ又はスキャナ、マイクロエレクトロメカニカル（ＭＥＭ）アレイ又はスキャナ、機械的応力アレイ又はスキャナ、距離測定セルアレイ又はスキャナ、マイクロスイッチアレイ又はスキャナ、弾性測定アレイ又はスキャナ等の、機械的に指の皮膚形状を検出するセンサを含んでもよい。但し、静電容量測定式セルアレイを使用した指紋センサは好ましくなく、その理由は、指とセルアレイとの間の静電容量が、湿気のような指の条件に応じて変化する可能性があることによる。また、指紋センサについては、例えば、赤外線検出アレイ又はスキャナを使用して、指の皮膚における温度分布を測定してもよい。
【００１８】
さらには、スマートカード及び／又はパスポートは、いくつかの適用において可撓性をもつ必要があり、その上の指紋センサについても好ましくは可撓性をもつ。そのような適用において、指紋センサは、その絶縁体若しくは基板又はその両者に、ポリマー材料、例えば、ポリイミド、ポリエチレンテレフタレート（ＰＥＴ）、ポリプロピレン（ＰＰＴ）、ポリカーボネート、ブタジエン、エポキシ、ナイロン、テフロン（登録商標）（テトラフルオロエチレンのポリマー（ＰＴＦＥ）又はフッ化エチレンプロピレン（ＦＥＰ））等を使用して作成することができる。しかしながら、それはポリマー材料に限定されず、薄くされたシリコンウェハ又は基板もまた使用され、その場合にウェハを結晶、多結晶、又はアモルファスシリコンから作成することができる。例えば、薄くされたシリコンウェハ又は基板の厚さが、好ましくは２００マイクロメートル未満であって、さらに好ましくは１００マイクロメートル未満とされる。薄くされたシリコン基板は、静電容量、抵抗等を測定することによって指紋パターンを検出してこれをデジタル信号に変えるように構成される。薄くするプロセスについては、化学エッチング又はガスプラズマエッチングを含んでもよい。また、薄くされたシリコンウェハは、機械的な補強材、例えば、ハードポリマー、ガラスエポキシ、銅張りガラスエポキシ、ＢＴ樹脂、銅張りＢＴ樹脂、ステンレスチール被覆若しくはシート、アルミニウム被覆、又は陽極酸化アルミニウム被覆若しくはシート等で強化されてもよい。注意すべきは、表面形状センサとフレキシビリティとが同時に満たされるとは限らないことである。
【００１９】
図２に戻って本図を参照すると、スマートカードに関連付けられた特定個人の指紋テンプレートがメモリ３４に記憶される。また、生体計測センサ３０については、人物の像を捉えるように構成された電荷結合デバイス（ＣＣＤ）又は金属酸化物半導体（ＭＯＳ）のような、イメージセンサであってもよい。例えば、撮影される像は、人物の顔、耳や虹彩、及び／又は網膜であってもよい。しかしながら、像がこれらの例に限定される訳ではなく、人物の特徴を一意に明らかにする特定パターンとして捕捉可能な、人物についての如何なる像をも使用することができる。また、生体計測センサ３０は、ＤＮＡ、ＲＮＡ、たんぱく質、酵素、血液細胞等の、人物の遺伝情報又は特徴を検出するように構成された遺伝情報検出器であってもよい。何れの場合においても、対応する生体情報のテンプレート（人物を特定し又は識別する、予め決められた生体パターン）がメモリ３４内に記憶される。本発明の一実施形態に従って、生体計測センサ３０はスマートカードの縁部の近辺に配置される。このような構成によって、スマートカードの面上において所望の別の構成要素や必要な構成要素を容易に位置させることができるようになる。
【００２０】
上記のように、プロセッサユニット３２は、検出された生体情報を、記憶された生体情報と比較することによって人物の認証を行い、そして、スマートカードを所持する人物がスマートカードに関連付けられた特定個人と同一人物であるかどうかを決定する。また、このプロセッサユニット３２は、送信前にプロセッサユニット３２で生成された信号を暗号化するように構成された暗号化回路（図２には示されていない）を含むことができる。
【００２１】
図６は、プロセッサユニット３２において実行される認証プロセスの一例を示しており、ここでは、生体情報として指紋が使用されている。先ず、認証の対象とされる（スマートカードを所持している）人物の指紋パターンが、指紋センサによって捉えられる（６００）。そして、比較に使用する明確な特徴が、捉えられた指紋パターンから抽出される（６０２）。例えば、指紋パターンの特徴点や、空間周波数（密度）、及び／又はベクトルが抽出される。これらの特徴は、単独で又は組み合わせて使用することができる。抽出された特徴は、メモリ内に記憶されている、これに対応したテンプレートと比較される（６０４）。この抽出された特徴がテンプレートと一致すると判定された場合に、認証結果は肯定的、即ち、その人物は成功裏に認証される。また、抽出された特徴がテンプレートと一致しないと判定された場合には、認証結果は否定的、即ち、その人物は認証に失敗する。結果を示す認証信号が生成されて（６０６）、これが暗号化され（６０８）、そして信号アンテナを介して送信される（６１０）。
【００２２】
図２に示すように、センサモジュール２８はさらに、プロセッサユニット３２に結合されたインジケータ３６を含むことができる。認証信号はインジケータ３６へと供給されて、認証結果を該インジケータに表示することができる。本発明の一実施形態に従って、インジケータ３６は１つ以上の発光ダイオード（ＬＥＤ）を含んでもよい。例えば、インジケータ３６は、赤色及び緑色等の、色の異なる２つのＬＥＤを有し、人物が認証に成功した場合には緑色のＬＥＤが発光し、そして人物が認証に失敗した場合には赤色のＬＥＤが発光する。また、複数のＬＥＤを組み合わせて使用し、及び／又は点滅間隔等の異なった照明モードを用いて、ＬＥＤの数に対応して、単純な認証成功／失敗よりも、さらに多くの情報を表示することが可能である。
【００２３】
指紋センサは、指の３次元表面から２次元のパターンを捉えるので、検出されたパターンが歪む虞があり、人物がスマートカードの正当な所有者であるにもかかわらず、間違った結果をもたらすことがある。従って、認証の現状又は結果を目視可能に示すことで、正当な所有者は、その指紋パターンが正しく検出されるように、センサ上に押し付ける当該所有者の指を調整することができる。その一方で、認証の失敗を示すことは、スマートカードの違法な所持者を思いとどまらせることになる。
【００２４】
インジケータ３６についてはＬＥＤに限定されない。本発明の一実施形態に従って、インジケータ３６は認証結果、例えば、「成功」、「認証された」、「エラー」、「認証の交信中」、その他の適切なメッセージを表示するように構成された液晶表示器（ＬＣＤ）であってもよい。このＬＣＤはまた、いくつかのアイコン又は記号を表示することができる。また、インジケータは認証結果に対応する音声信号を再生するように構成された音響再生装置であってもよい。例えば、音声信号は、認証結果に応じて、異なる周波数の、異なる音声メッセージ、あるいは異なるメロディを有する。
【００２５】
図２に示すように、本発明の一実施形態に従って、センサモジュール２８はさらに、プロセッサユニット３２に結合されたコントロールインターフェース３８を含むことができる。このコントロールインターフェース３８は、プロセッサユニット３２を設定するために、外部コントロール信号を受け取るように構成される。通常、コントロールインターフェース３８は、特定個人に対してスマートカードが発行される場合に、該スマートカードの初期設定において使用される。例えば、外部コントロール信号は、プロセッサユニット３２のハードウェア及び／又はソフトウェアの設定に使用され、プロセッサユニット３２及び／又はメモリ３４にプログラムをアップロードし、メモリ３４に特定個人の生体情報テンプレートをアップロードして記憶させるため等に使用することができる。また、プロセッサユニット３２の暗号化システムのための暗号化キー及び他のデータが、初期設定プロセス中に、外部コントロール信号を使用して選択され及び／又は設定されるようにしてもよい。
【００２６】
また、追加の個人情報、例えば、個人識別情報や、ユーザ及び／又はスマートカードの目的に関係する他の個人情報等のような特定個人の情報を、メモリ３４に記憶してもよい。例えば、そのような個人識別情報には、名前、ユーザ名、パスワード、個人識別番号（ＰＩＮ）、出生日、出生地、運転免許証番号等が含まれる。また、人物の画像を記憶させてもよい。さらに、他の関連情報、例えば、スマートカードの発行日、スマートカードの有効期限日、特定個人の連絡先の情報等も記憶することができる。また、スマートカードをパスポートに用いる場合には、例えば、旅行や入港の履歴又は在留資格等を記憶することができる。
【００２７】
コントロールインターフェース３８への外部接続については、プロセッサユニット３２を設定して、所望の情報をメモリ３４に記憶させた後で、これを不可能にすることができる。例えば、コントロールインターフェース３８への外部アクセスを、物理的に接続できないように切断してもよい。そのような物理的な切断は永久的であっても構わない。そのような切断は、不正なアクセス並びに設定及び記憶データの変更を防止するために好ましい。但し、記憶された情報の更新が必要であるか又は望ましい場合において、その人物の認証が成功したときだけ、コントロールインターフェース３８への外部接続を可能にすることができる。
【００２８】
図７は、本発明の一実施形態によるセンサ及びプロセッサの部分について一例を示している。本例において、プロセッサユニットは、認証回路５６及びデュアルモードインターフェース回路５８を含んでいる。認証回路５６は中央処理装置（ＣＰＵ）において、ハードウェア又はソフトウェア、あるいはハードウェアとソフトウェアとの任意の組み合わせを用いて導入することができる。つまり、認証回路は、特定のソフトウェア、ＡＳＩＣ、フィールドプログラマブル・ロジックデバイス（ＦＰＬＤ）等を備えた汎用ＣＰＵを使用して実現できる。この認証ＣＰＵ５６はその内部にメモリ６０を含み、認証信号を生成するために上記の認証プロセスを実行することができる。スマートカードに関連する特定個人の生体情報、及び特定個人の任意選択での個人情報は、メモリ６０に記憶される。このメモリ６０は認証ＣＰＵ５６の外部にあってもよい。メモリ６０については、スタティックＲＡＭ（ＳＲＡＭ）、又はダイナミックＲＡＭ（ＤＲＡＭ）のようなランダムアクセスメモリ（ＲＡＭ）、及び消去可能でプログラム可能な読み出し専用メモリ（ＥＰＲＯＭ）、電気的に消去可能でプログラム可能な読み出し専用メモリ（ＥＥＰＲＯＭ）、フラッシュメモリ（又はフラッシュＰＲＯＭ）等のような、メモリの組み合わせであっても構わない。ＲＡＭは、ソフトウェアプログラム、プログラムコード、プログラム命令等のデータのキャッシュに使用される。ＰＲＯＭは、認証プログラム及び他のアプリケーションプログラム、暗号化アプリケーション及び暗号化キーのような関連するデータ及びファイル、並びに上記した特定個人の生体情報及び個人情報の記憶に使用される。ＰＲＯＭに記憶されたソフトウェアプログラム及び情報については、その変更又は改竄が許されないので、ＰＲＯＭは１回だけプログラム可能又は書き込み可能でなければならない。ＥＥＰＲＯＭ又はフラッシュメモリの場合には、その再書き込み可能な機能が、例えば、線を溶かすか又はドライバのヒューズを飛ばすことで無効化（ディセーブル）される。
【００２９】
図７に戻って本図を参照すると、認証信号は通信バス（線）６２を経由してデュアルモードインターフェース回路へと送られる。このデュアルモードインターフェース回路５８は、認証ＣＰＵ５６から受け取った認証信号を、信号アンテナ６４経由で無線送信するのに適した送信信号に変換する。つまり、デュアルモードインターフェース回路５８は有線通信及び無線通信の両方の能力がある。しかしながら通常は、一方の側で有線通信が可能である場合に、他方の側では無線通信が無効化され、またその逆の場合も同様に成り立つ。信号アンテナ６４については、好ましくは実質的に電力アンテナに比べて小さく作られている。
【００３０】
本発明の一実施形態に従って、このシステムは、国際標準化機構（ＩＳＯ）規格に適合している。例えば、通信バス６２はＩＳＯ７８１６に適合し、そしてデュアルモードインターフェース回路５８が、ＩＳＯ７８１６（有線通信に対して）及びＩＳＯ１４４４３（無線通信に対して）と互換性のあるＩＳＯデュアルモードインターフェースチップであってもよい。しかしながら、用途によっては、別のＩＳＯ規格を使用することもできる。
【００３１】
図７はまた、生体計測センサ６６、コントロールインターフェース７０、そしてインジケータ（本例では、複数のＬＥＤ）６８を示している。コントロールインターフェース７０は、Ｊｏｉｎｔ  Ｔｅｓｔ  Ａｃｔｉｏｎ  Ｇｒｏｕｐ（ＪＴＡＧ）規格に準拠したインターフェースを使用して実現することができ、これは通常、テストアクセスポート・アーキテクチャを提供する。また、図７に示すように、スマートカードは、基板上で、システム用クロック信号を生成するように構成された発振回路７２を含むことができる。このクロック信号（ＣＬＫ）は、クロック信号に従って動作する要素全てに対して、直接的に又は間接的に供給されるが、簡単化のため、そのようなクロック信号入力は図７に示されていない。これに代わって、クロック信号については、本発明の一実施形態に従って、電力信号から生成することも可能である。この場合に、スマートカードは、電力信号を受信するように構成されたクロックアンテナと、該クロックアンテナに結合されたクロック回路であって、受信した電力信号からクロック信号を生成するクロック回路と、を含む。例えば、電力の無線送信部がまたＩＳＯ１４４４３に適合する場合において、それは１３．５６ＭＨｚの発振を持ち、クロック信号の生成に使用することができる。
【００３２】
図８は、プロセッサユニットの実装についての別例を示しており、ここでは暗号化及び復号化の仕組みが設けられている。認証ＣＰＵ５６は、暗号化回路７２を含み、認証信号をデュアルモードインターフェース回路５８へ送る前に該認証信号を暗号化する。同様に、デュアルインターフェース回路５８は、認証ＣＰＵ５６から受け取った、暗号化された信号を復号化するために復号化回路７４を含む。また、デュアルモードインターフェース回路５８は、信号アンテナ６４を経由して無線送信を行う前に、送信信号を暗号化するように構成された暗号化回路７６を含んでいる。
【００３３】
図９Ａは、本発明の一実施形態によるプロセッサユニットの実装について別例を示している。本例において、プロセッサユニットは、簡単な読み／書き用ＣＰＵ７８と、暗号化を伴う無線送信のみならず、完全な認証プロセスを実行する能力をもったデュアルモードＣＰＵ８０を含んでいる。図９Ａに示すように、読み／書き用ＣＰＵ７８は暗号化回路８２を含むことができる。この読み／書き用ＣＰＵ７８は、生体計測センサ６６によって検出された生体情報を暗号化して、デュアルモードＣＰＵ８０へと送る。デュアルモードＣＰＵ８０は、認証回路８４及びメモリ９０を含んでいる。認証回路８４については、ソフトウェア、ハードウェア、又はソフトウェアとハードウェアとの組み合わせで実現することができる。メモリ９０は特定個人の生体情報テンプレートを記憶するように構成される。また、デュアルモードＣＰＵ８０は、読み／書き用ＣＰＵ７８から受け取った暗号化済の信号（検出された生体情報）を復号化するために復号化回路８６を含む。デュアルモードＣＰＵ８０は、検出された生体情報をメモリ９０内に記憶されたテンプレートと比較して、認証結果を示す認証信号を生成する。そして、デュアルモードＣＰＵ８０は、信号アンテナ６４を経由して信号を無線送信する前に、暗号化回路８８を用いて認証信号を暗号化する。
【００３４】
図９Ｂは、本発明の一実施形態による、プロセッサユニットの実装についてさらに別例を示している。本例では、プロセッサユニットが、センサＣＰＵ７９及びデュアルモードＣＰＵ８１を含んでいる。本例において、センサＣＰＵ７９は、ソフトウェア、ハードウェア、又はそれらの組み合わせとされる抽出回路８３を含み、生体計測センサ６６で検出された生体情報から特徴抽出を行う。指紋パターンの特徴点や、空間周波数（密度）、及び／又はベクトルのような、抽出された特徴が好ましくは暗号化され、そしてデュアルモードＣＰＵ８１に送られる。デュアルモードＣＰＵ８１は、マッチング／認証回路８５、復号化回路８６、暗号化回路８８、及びメモリ９０を含んでいる。デュアルモードＣＰＵ８１は抽出された特徴と、記憶された生体情報テンプレートとの比較（つまり、対応して参照される特徴とのマッチング）を行い、その人物が認証に成功するか又は失敗するかを決定する。マッチング／認証回路８５については、ソフトウェア、ハードウェア、又はソフトウェアとハードウェアとの組み合わせによって実現することができる。例えば、マッチング／認証回路８５は、オブジェクト指向プログラム言語、例えば、ニューヨーク、アーモンクのＩＢＭ社から入手可能なＪＣＯＰスマートカード・オペレーティングシステム上で走るＪＡＶＡ（登録商標）アプレット等で書かれたアプリケーションプログラムとして実現できる。
【００３５】
上記のように、本発明の一実施形態に従って、追加の個人情報は、メモリ３４、６０又は９０に記憶することができる。そのような追加の情報については、スマートカードを所持している人物が認証に成功した場合に、該情報を読み込んで送信することができる。例えば、プロセッサユニット３２、認証ＣＰＵ５６、又はデュアルモードＣＰＵ８０は、読み出し回路をさらに含んでもよく、該回路は、検出された生体情報が、記憶された生体情報に一致すると判明した場合に、記憶済の追加の個人情報をメモリから取り出すように構成される。この場合に、プロセッサユニット３２、認証ＣＰＵ５６、又はデュアルモードＣＰＵ８０はさらに、特定個人の個人情報を示す個人情報信号を生成する。この個人情報信号は暗号化されて、上記の認証信号と同様に信号アンテナを経由して送信される。
【００３６】
図１０は本発明の一実施形態に従ったスマートカード１００を示している。図１０に示すように、スマートカード１００は、基板１０２、電力アンテナ１０４及び信号アンテナ１０６を有する無線通信モジュール、電力回路１０８、クロック回路１１０、そしてセンサモジュール１１２を含んでいる。センサモジュール１１２は、上記した他の実施形態と同様に、プロセッサユニット１１４、生体計測センサ１１６、メモリ１１８、インジケータ１２０、そしてコントロール回路１２２を含んでいる。これらの構成要素は、前述した実施形態において対応する要素の１つであってもよく、いくつかの要素は上記のように任意選択で設けることができる。本実施形態において、センサモジュール１１２は、スマートカードを所持する人物が生きていることを検出するように構成された生体センサ（ｂｉｏｓｅｎｓｏｒ）１２４をさらに含んでいる。例えば、生体計測センサ１１６が指紋センサである場合に、権限のない人物が人の指（又は人体から切り取られた人体の一部）の複製を使用して、スマートカードを動作させ、あるいはその中に記憶されている情報を利用する可能性がある。それゆえ、追加のセキュリティとして、生体情報の検出対象とされる身体部が生きた人物の部分であることの確認が重要である。
【００３７】
本発明の一実施形態に従って、生体センサ１２４は、酸素検出器、二酸化炭素検出器、温度計、湿度センサ、赤外線センサ、音声センサ、脳波センサ、心電図センサ、電磁場センサ、カイ（Ｃｈｉ）センサ等のうちの１つ、あるいは、それらの任意の組み合わせであってもよい。また、生体センサ１２４は、それに接触した体の一部の弾性を検出するように構成された弾性センサ、又はそれに接触した体の部分の血流を検出するように構成された血流センサであってもよい。これらの生体センサはまた、単独で又は上記生体センサの１つ以上と組み合わせて使用してもよい。さらには、生体センサ１２４が、与えられた刺激に対する人物の反射応答を捉えるように構成された生体応答検出器を含んでいてもよい。例えば、その上を照明した光強度に応答する虹彩の開口変化のような反射応答を用いることができ、生体センサ１２４は、虹彩の像を捉えるように構成されたイメージセンサ及び人物の目を照らすように構成された発光体を含むことができる。また、生体計測センサ１１６が生体認証のために人物の像を捉えるイメージセンサを含む場合において、生体計測センサ１１６及び生体センサ１２４を、１つのイメージセンサに統合することができる。例えば、静的な像がパターンマッチングのために処理され、刺激に応じた動き（反応）の像が「生存」テストのために処理されるようにしてもよい。
【００３８】
プロセッサユニット１１４は、人物の認証が成功し、そして生きていることが判明した場合に、肯定的な認証を生成する。その認証結果及び生存テストの結果は、上記と同様にインジケータ１２０を用いて表示することができる。
【００３９】
本発明の一実施形態に従って、スマートカード１００はさらに、図１０に示すように表示器１２６を含むことができる。この表示器１２６はプロセッサユニット１１４に結合され、人物が認証された場合に特定個人の顔を含む画像を表示するように構成される。例えば、スマートカードのある適用では、スマートカードの所持者の画像を有することが望ましく、そのような画像はスマートカードの所持者が認証に成功した場合にのみ利用可能となる。この特徴によってスマートカードの偽造がより困難となる。また、正規の所持者の署名を画像と併せて表示してもよい。表示される画像及び任意選択で表示される署名については、メモリ１１８に記憶することができる。
【００４０】
本発明の一実施形態に従って、生体計測センサ１１６及び表示器１２６は、１つの要素に統合することができる。例えば、生体計測センサ１１６は実質的に透明であって、表示器１１２の上に配置されてもよい。また、表示器１２６は、スマートカードの所持者の認証が成功したときだけ（生存テストにパスすることを含む）作動して像を表示するので、表示器１１２がインジケータとしても機能する。
【００４１】
本発明の一実施形態に従って、上記実施形態で説明したスマートカードは、パスポート内に組み込まれるように構成される。図１１は、本発明の一実施形態によるスマートカードを含む電子パスポート１３０を示している。例えば、図１１に示すように、スマートカードがパスポート１３０の表又は裏のカバー１３１に組み込まれてもよく、その際、生体計測センサ１３２は、表又は裏のカバー１３１の内側１３４において目視可能に配置され、該カバーには通常、パスポート所持者の個人識別情報及び関連データが位置される。また、図１１に示すように、特に上記のようなインジケータ１３６が認証結果を目視できるように表示する場合に、該インジケータ１３６をパスポート１３０の内側１３４において目視可能に配置することができる。好ましくは、生体計測センサ１３２が、パスポート１３０の内側１３４の縁寄りに配置される。また好ましくは、生体計測センサ１３２及び任意選択で設けられるインジケータ１３６が、内側１３４に配置され、これにより、生体計測センサ１３２及び任意選択で設けられるインジケータ１３６が内側１３４のパスポート所持者の写真１３８及び他の個人データ１４０と干渉することはない。
【００４２】
図１２は、図１１に示したパスポート１３０に組み込まれたスマートカード１５０の一例を示している。通常、スマートカード１５０のサイズはパスポート１３０のサイズに比してやや小さい。上記の実施形態と同様に、スマートカード１５０は、電力アンテナ１５２及び信号アンテナ１５４を含む無線トランシーバモジュール、電力回路１５６、生体計測センサを含むセンサモジュール、任意選択でのインジケータ１３６、認証ＣＰＵ１５８及びデュアルモードインターフェース回路１６０を含むプロセッサユニット、そしてコントロールインターフェース１６２を含んでいる。認証ＣＰＵ１５８は、上記のように、生体情報テンプレート及び他の個人データを記憶するメモリ（図示せず）を含む。プロセッサユニットは、上記のように、１つの構成要素に統合することができ、また認証処理プロセスはデュアルモードＣＰＵによって実行してもよい。本例では、電力アンテナ１５２が、同様の長さをもって、スマートカード１５０の基板１６４の縁部に沿って配置された３つの独立したアンテナを含んでいる。
【００４３】
好ましくは、信号アンテナ１５４が実質的に電力アンテナ１５２よりも小さくされる。例えば、信号アンテナ１５４（及び上記実施形態における信号アンテナ２４及び６４）は十分小さく作られることで、信号アンテナ１５４から送信される無線信号を受信する端末モジュールアンテナ１９４又は１９９（図１７及び１８参照）のループ及び／又は配線の真上か、あるいはこれに対して非常に接近して配置される。即ち、スマートカード（又は電子パスポート）が端末モジュール１９０の上に置かれた場合に、信号アンテナ１５４は端末モジュールアンテナ１９４又は１９９の非常に近くか、又は好ましくはその真上とされるが、これは、信号アンテナ１５４における小さな負荷変動が端末モジュールアンテナによって検出できるようにするためである。また、負荷変動は十分に小さくされて、非常に接近したアンテナ又は任意の受信モジュールだけがその変化を検出できるが、如何なる第三者も盗聴の目的で負荷変動を検出することはできない。例えば、送信された信号は信号アンテナの位置から最大１０ｍｍの距離において検出できる。つまり、同じパスポート表面積又は端末モジュール表面積であっても送信された信号を常に検出できるとは限らない。
【００４４】
コントロールインターフェース１６２は、外部接続（リードバス）１６６が尚も使用可能であるかのように描かれている。これは、電子パスポート１３０が特定個人に対して最初に発行されて、その中に組み込まれたスマートカード１５０が初期設定される場合であり、その際、必要なデータ及び／又は所望のデータ、情報、及び／又はソフトウェア（認証プログラム、暗号化プログラム等）が、コントロールインターフェース１６６を通してアップロードされて、メモリに記憶される。そのような設定及びアップロードの後で、外部接続１６６を遮断してコントロールインターフェース１６２へのアクセスを不能にすることができる。
【００４５】
本発明の一実施形態に従って、スマートカード１５０は、従来の紙によるパスポート中に組み込まれることなく、カードタイプの電子パスポートとして使用することができる。パスポート所持者及びパスポートの使用に関連する情報は全て、従来のパスポートにおいて通常印刷されるか、又は押印されるが、このような全情報をスマートカード上に設けられたメモリに電子的に又はデジタル処理で記憶させることができるので、スマートカード自体を電子パスポートとして実現することが可能となる。この場合、追加の表層が基板１６４の上に設けられるが、これは、アンテナ及び他の電子回路を保護するとともに、スマートカードの表面に目視可能な情報を配置するスペースを提供するためである。また、パスポート１３０と同様に、生体計測センサ及び任意選択で設けられるインジケータを、表層において目視可能に配置してもよい。このカードタイプの電子パスポートはまた、以下の実施形態にも適用可能である。つまり、実施形態で記載したパスポート又は電子パスポートは、スマートカードが組み込まれた紙のパスポート又はスマートカードとして実現されるペーパレス（紙を使わない）電子パスポートの何れであってもよい。
【００４６】
図１３は、本発明の一実施形態による電子パスポート１７０を示しており、これには生体計測センサ１７２が設けられ、また従来あったパスポート所持者の顔写真が表示器１７４で置き換えられている。例えば、上記したスマートカード１００（図１０）又は同様のスマートカードを、パスポート１７０に組み込むことができる。尚、注意すべきは、表示器の位置がスマートカード１００中で再配置されており、表示器１２６が適切な位置又は所望の位置、例えば、パスポート１７０の表又は裏のカバーにおける内側のページに置かれていることである。これに代わって、パスポート１７０が、上記したように、紙のページをもたないカードタイプの電子パスポートであってもよい。
【００４７】
図１４は、電子パスポート１７０の一例を示しており、該電子パスポートにおいて生体計測センサ１７２が指紋センサである。図１４に示すように、パスポート所持者が、その指を指紋センサ１７２の上に置いた場合に、該パスポート所持者が首尾よく認証されると、表示器１７４は、パスポート所持者の画像及び任意選択による署名をその上に表示する。そのような像及び任意選択での署名については、認証成功の後で予め決められた時間に亘って表示させるか、あるいは、指が指紋センサ１７２に接触している間、表示させることができる。
【００４８】
図１５は、本発明の一実施形態による電子パスポート１８０の一例を示しており、該電子パスポートにおいて指紋センサ及び表示器はセンサ／表示器１８２に統合されている。パスポート１８０の所持者がセンサ／表示器１８２に触れると、図１６に示すように、検出された指紋パターンが、上記のように認証プロセスのために使用され、そして、人物が認証されると、センサ／表示器は、パスポート所持者の顔画像及び任意選択での署名をその上に表示する。センサ／表示器１８２は、認証成功の後で、予め決められた時間に亘って像及び任意選択での署名を表示することができる。
【００４９】
図１７は、本発明の一実施形態による、スマートカード、あるいはスマートカードを含む電子パスポートを所持する人物について認証するための端末モジュール１９０を示している。スマートカード又は電子パスポートは、上記した何れのスマートカード又は電子パスポートであってもよい。端末モジュールは、支持板１９２及びその上に設けられたアンテナ（端末モジュールアンテナ）１９４を含んでいる。この支持板１９２は、スマートカード又は電子パスポートを支えるように構成され、スマートカード又はパスポートを支えるのに好適なサイズを有する。アンテナ１９４は、電力をスマートカード又は電子パスポートに送信するように構成される。無線送信される電力は、例えば、端末モジュール１９０上に置かれたスマートカード１０（図１）の無線トランシーバモジュール１８によって受信される。また、アンテナ１９４はスマートカードの無線トランシーバモジュールから送信される信号を受信する構成となっている。
【００５０】
本発明の一実施形態に従って、端末モジュール１９０は、上記スマートカード１５０が組み込まれた電子パスポート１３０のような、電子パスポートとともに使用されるように設計される。電子パスポート１３０が電力アンテナ１５２及び信号アンテナ１５４を含む場合に、例えば、アンテナ１９４は、電力アンテナ１５２によって受信される電力信号を無線送信するとともに、信号アンテナ１５４から送信される無線信号を受信するように構成される。好ましくは、端末モジュールアンテナ１９４が支持板１９２の上に設けられており、電子パスポート（又はスマートカード）が支持板１９２の上に置かれる際に、信号送信アンテナ１５４が実質的に端末モジュールアンテナ１９４に位置合わせされる。通常、端末モジュールアンテナ１９４は、実質的に電子パスポートの信号アンテナ１５４よりも大きく、信号アンテナ１５４は、図１７に示すように、アンテナ１９４の一部１９６の上に置かれる。信号アンテナ１５４は、アンテナ１９４の一部１９６の真上か又はその非常に接近したところに位置させることができる。これに代わって、図１８に示すように、端末モジュール１９０は、電力送信アンテナ１９８及び該電力送信アンテナ１９８とは別の信号受信アンテナ１９９を含むことができる。この場合、信号受信アンテナ１９９は、電子パスポート１３０が端末モジュール１９０の上に置かれる際に、その位置が信号アンテナ１５４の位置と合致するように配置されている。
【００５１】
上記のように、本発明の実施形態に従って、生体情報検出及び生体情報を使用した認証プロセスは、スマートカード又は電子パスポートによってボード上（カード上）で実行される。即ち、カード所持者やパスポート所持者の認証は、指紋パターン及び個人情報のような機密情報を外部に通信することなく実行され、そして、そのような機密情報はスマートカード又は電子パスポート内に封じ込められる。認証結果及び関連する個人情報が無線送信される場合に、送信信号は非常に短い範囲（通常はミリメートル程度）をもち、よってスマートカード又は電子パスポートが適切に置かれた端末モジュールだけで受信される。従って、認証プロセス及び個人情報の読み出しについては局所的に実行することができ、機密情報が空中を伝わり又はインターネットのようなネットワークシステムを通じて伝搬することはない。また、完全な認証を局所的に（ボード上で）実行できるので、如何なる事故又は外部ネットワークシステム若しくは中央データベースへのアクセス不能によって影響されることはない。
【００５２】
しかしながら、ある状況下では、端末モジュールを越えて外部システムで、個人の生体情報及び／又は個人情報を通信することが好ましい。例えば、空港内において、認証結果は空港の警備要員によって監視され、そして認証結果及び必要な個人情報がローカルコンピュータネットワーク内の監視デバイスや端末へと送信されるようにしてもよい。また、疑わしい場合には、指紋のような生体情報が、犯罪記録、テロリスト一覧表のデータベース、移民記録等の、通常は政府の中央データベースに保有されている情報に対して選別されることが必要となる。例えば、スマートカード又は電子パスポートが偽造された可能性がある場合に、疑わしいスマートカード又はパスポートの中に記憶された全ての情報が調べられて、該情報が、正当であると主張する個人についての対応する情報と比較されることを要する場合がある。それゆえ、本発明の一実施形態に従って、端末モジュールはまた、外部のコンピュータシステムと通信する能力を持つことができる。
【００５３】
図１９は、本発明の一実施形態に従って、スマートカード又は電子パスポートを所持する人物の認証を行うためのシステム３００を示している。図１９に示すように、このシステム３００は、スマートカード／電子パスポート３０２と端末モジュール３０４を含んでいる。スマートカード／電子パスポートは、上記した実施形態の何れか１つのスマートカード又は電子パスポートであってよい。端末モジュール３０４は、端末モジュールアンテナ３０６、復号化回路３０８、暗号化回路３１０、そしてインターフェース３１２を含んでいる。復号化回路３０８は、受信した信号が暗号化されている場合に、スマートカード／電子パスポート３０２から受信した信号を復号化するように構成される。暗号化回路３１０は端末モジュール３０４から送信される信号を暗号化する。インターフェース３１２は、端末モジュール３０４を、通常ローカルコンピュータネットワークとされるコンピュータシステム３１４に結合する。また、インターフェース３１２は、端末モジュールを、中央データベース３１８を持つサーバ３１６と繋ぐことができる。そのようなサーバ３１６への接続には、仮想回路、専用回路等を介して、伝送制御プロトコル／インターネットプロトコル（ＴＣＰ／ＩＰ）を使用することができる。従って、インターフェース３１２は、ユニバーサルシリアルバス（ＵＳＢ）規格や、勧告基準２３２Ｃ（ＲＳ−２３２Ｃ）、勧告基準４３３（ＲＳ−４３３）、伝送制御ロトコル／インターネットプロトコル（ＴＣＰ／ＩＰ）等の１つと互換性をもつ。コンピュータシステム３１４又はサーバ３１６は、端末モジュール３０４から送信された認証信号及び他の個人情報を受け取り、必要なデータ処理や選別、中央データベースとの比較等を実行する。また、認証結果及び／又は個人情報を、権限のある人に対して表示してもよい。
【００５４】
電子パスポート（つまり、その内部のスマートカード）は、端末モジュールから無線送信される電力によって電源供給を受けるので、電子パスポートが端末モジュールの電力範囲から離れるにつれて電源電圧が減少し、最終的には遮断されて電子パスポートのセンサモジュールが止まる。それゆえ、本発明の一実施形態に従って、電子パスポート（スマートカード）のセンサモジュールは、電源電圧が遮断された後において、増加する電源電圧についての、予め決められたレベルに対応して自動的に初期化される。この初期化は通常、スマートカードのプロセッサユニットを初期化することで行われる。プロセッサユニットが、認証ＣＰＵ及びデュアルモードインターフェース回路を含む場合において、例えば、認証ＣＰＵは、増加する電源電圧についての閾値電圧を用いて初期化されるようにしてもよく、その後に、デュアルモードインターフェース回路が、認証ＣＰＵから供給されるリセット信号を用いて初期化されるようにしてもよい。
【００５５】
図２０は、本発明の一実施形態による、スマートカード又は、スマートカードが組み込まれた電子パスポートを所持する人物の認証を行うための方法を示している。スマートカードは、スマートカードの基板上に設けられたセンサモジュールを含んでおり、該センサモジュールは、生体計測センサ、プロセッサユニット、及びメモリを含む。スマートカード又は電子パスポートは、上記した何れか１つのスマートカード又は電子パスポートであってもよい。先ず、電力信号は、基板上に設けられた無線トランシーバモジュールを経由して受信される（２１０）。これは、スマートカード又はパスポートが、電力信号を供給する端末モジュール上に置かれている状況であればよい。少なくとも１つの電源電圧が電力信号から生成され、そして該電源電圧は、センサモジュールに電源を投入して、センサモジュールを動作可能とするために、センサモジュールに供給される（２１２）。任意選択により、センサモジュールの初期化が電源投入期間中に行われるようにしてもよい（２１４）。そして、上記のように、指紋センサ、イメージセンサ等の生体計測センサを使用して、生体（計測）情報が人物の体から検出される（２１６）。検出された生体情報はメモリに記憶された生体情報と比較され（２１８）、そして、その比較結果を示す認証信号が生成される（２２０）。認証又は比較の結果は任意選択により、スマートカード上に設けられたインジケータを用いて表示される（２２２）。それから、認証信号は任意選択でもって暗号化され（２２４）、無線トランシーバモジュールを経由して送信される（２２６）。
【００５６】
本発明の実施形態及び適用を示すとともにそれらについて記載してきたが、本開示の利益を受ける当業者にとっては、この発明の概念から外れることなく、上記した以上のさらに多くの修正が可能であることは明らかである。本発明はそれゆえ、添付の請求項の精神以外には限定されない。
【図面の簡単な説明】
【００５７】
【図１】本発明の一実施形態によるスマートカードを所持する人物を認証するための、スマートカードを模式的に示す機能ブロック図である。
【図２】本発明の一実施形態によるスマートカードの一例を示すブロック図である。
【図３】本発明の一実施形態によるスマートカードにおける電力回路を示す電気的なブロック図である。
【図４】本発明の一実施形態によるスマートカードにおける電力回路の一例を示す電気的なブロック図である。
【図５】本発明の一実施形態によるスマートカードにおける電力部について、実施の一例を示す回路図である。
【図６】指紋センサ付のプロセッサユニットで実行される認証プロセスの一例を示すプロセスフロー図である。
【図７】本発明の一実施形態に従って、スマートカードのセンサ／プロセッサ部の一例を示す電気的なブロック図である。
【図８】暗号化／復号化の仕組みをもったスマートカードのプロセッサユニットの実装について、他の例を示すブロック図である。
【図９Ａ】本発明の一実施形態によるスマートカードのプロセッサユニットの実装について別例を示すブロック図である。
【図９Ｂ】本発明の一実施形態によるスマートカードのプロセッサユニットの実装についてさらに別例を示すブロック図である。
【図１０】本発明の一実施形態によるスマートカードを示すブロック図である。
【図１１】本発明の一実施形態によるスマートカードを含む電子パスポートを示す図である。
【図１２】図１１に示すパスポートに組み込まれたスマートカードの一例を示すブロック図である。
【図１３】本発明の一実施形態による電子パスポートであって、生体計測センサ及び表示器を含む電子パスポートを示す図である。
【図１４】指紋センサ及び表示器を含み、人物を認証する電子パスポートの一例を示す図である。
【図１５】本発明の一実施形態による電子パスポートであって、集積化されたセンサ及び表示器を含む電子パスポートの一例を示す図である。
【図１６】本発明の一実施形態による電子パスポートであって、集積化されたセンサ及び表示器を含む電子パスポートの一例を示す図である。
【図１７】本発明の一実施形態による、スマートカード、又はスマートカードを含む電子パスポートの所持者を認証するための端末モジュールを示す図である。
【図１８】本発明の一実施形態による端末モジュールの一例を示す図である。
【図１９】本発明の一実施形態に従って、スマートカード又は電子パスポートを所持する人物を認証するためのシステムを示す機能ブロック図である。
【図２０】本発明の一実施形態に従って、スマートカード、又はスマートカードが組み込まれた電子パスポートの所持者を認証するための方法を示すプロセスフロー図である。
【図１】
2007535073.tif 000003
【図２】
2007535073.tif 000004
【図３】
2007535073.tif 000005
【図４】
2007535073.tif 000006
【図５】
2007535073.tif 000007
【図６】
2007535073.tif 000008
【図７】
2007535073.tif 000009
【図８】
2007535073.tif 000010
【図９Ａ】
2007535073.tif 000011
【図９Ｂ】
2007535073.tif 000012
【図１０】
2007535073.tif 000013
【図１１】
2007535073.tif 000014
【図１２】
2007535073.tif 000015
【図１３】
2007535073.tif 000016
【図１４】
2007535073.tif 000017
【図１５】
2007535073.tif 000018
【図１６】
2007535073.tif 000019
【図１７】
2007535073.tif 000020
【図１８】
2007535073.tif 000021
【図１９】
2007535073.tif 000022
【図２０】
2007535073.tif 000023
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
スマートカードを所持する人物を認証するための該スマートカードにおいて、
基板と、
前記基板上に設けられたセンサモジュールであって、
人体から生体情報を検出するように構成された生体計測センサと、
前記生体計測センサに結合されたプロセッサユニットであって、検出された生体情報に応答して人物を認証し、かつ認証結果を示す認証信号を生成するように構成されたプロセッサユニットと、
前記プロセッサユニットに結合されたメモリであって、スマートカードに関連する特定個人の生体情報を記憶するように構成されたメモリと、を含むセンサモジュールと、
前記プロセッサユニットに結合された無線トランシーバモジュールであって、前記プロセッサユニットから受けた信号を送信し、かつ無線送信された電力信号を受信するように構成された無線トランシーバモジュールと、
前記基板上に設けられた電力回路であって、受信した電力信号から１つ以上の電源電圧を生成して、該電源電圧を前記センサモジュールに供給するように構成された電力回路と、
を備えたスマートカード。
【請求項２】
前記無線トランシーバモジュールが、
前記電力回路に結合された電力アンテナであって、前記電力信号を受信するように構成された電力アンテナと、
前記プロセッサユニットに結合される信号アンテナであって、前記プロセッサユニットから受けた信号を送信するように構成された信号アンテナと、
を含む請求項１に記載のスマートカード。
【請求項３】
前記スマートカードは、前記信号アンテナからの信号を受信するように構成されたモジュールアンテナを含む端末モジュールとともに使用され、前記信号アンテナが該モジュールアンテナのループ又は配線に近接した位置に置かれる、請求項２に記載のスマートカード。
【請求項４】
前記無線トランシーバモジュールが複数の電力アンテナを含み、
前記電力回路が複数のレギュレータ回路を含むとともに、該レギュレータ回路の各々が複数の電力アンテナのうちの対応する１つに結合されている、請求項２に記載のスマートカード。
【請求項５】
前記複数の電力アンテナが、プラスチック材料又は紙材料の上でエッチングされるか又は印刷されたパターンとして形成された、請求項４に記載のスマートカード。
【請求項６】
前記センサモジュールがさらに、前記プロセッサユニットに結合されたインジケータを含み、該インジケータが認証結果を示すように構成された、請求項１に記載のスマートカード。
【請求項７】
前記センサモジュールがさらに、前記プロセッサユニットに結合されたコントロールインターフェースを含み、該コントロールインターフェースが、外部コントロール信号を受けて前記プロセッサユニットを設定するように構成された、請求項１に記載のスマートカード。
【請求項８】
前記コントロールインターフェースの、外部コントロール信号との接続が、前記プロセッサユニットの初期設定後に無効化される、請求項７に記載のスマートカード。
【請求項９】
前記コントロールインターフェースの、外部コントロール信号との接続が、初期設定後の物理的な切断によって、恒久的に無効化される、請求項８に記載のスマートカード。
【請求項１０】
前記プロセッサユニットが、前記プロセッサユニットによって生成された信号を、暗号化するように構成された暗号化回路を含む、請求項１に記載のスマートカード。
【請求項１１】
前記プロセッサユニットは、検出された生体情報を前記メモリ中に記憶された生体情報と比較し、認証信号を生成するように構成された認証回路を含む、請求項１に記載のスマートカード。
【請求項１２】
前記認証回路が、前記認証信号を暗号化するように構成された暗号化回路を含む、請求項１１に記載のスマートカード。
【請求項１３】
前記メモリがさらに、特定個人の個人情報を記憶するように構成された、請求項１１に記載のスマートカード。
【請求項１４】
前記プロセッサユニットはさらに、検出された生体情報が記憶された生体情報と一致することが判明した場合に、前記メモリから記憶済の個人情報を読み出すように構成された読み出し回路を含む、請求項１３に記載のスマートカード。
【請求項１５】
前記プロセッサユニットがさらに、特定個人の個人情報を示す個人情報信号を生成するとともに、該個人情報信号が無線トランシーバモジュールを介して送信される、請求項１４に記載のスマートカード。
【請求項１６】
前記センサモジュールのためのクロック信号を生成するように構成された発振回路をさらに備えた、請求項１に記載のスマートカード。
【請求項１７】
電力信号を受け取るように構成されたクロックアンテナと、
前記クロックアンテナに結合されるクロック回路と、を備え、該クロック回路は、受信した電力信号からクロック信号を生成するように構成された、請求項１に記載のスマートカード。
【請求項１８】
前記スマートカードがパスポートに組み込まれるように構成された、請求項１に記載のスマートカード。
【請求項１９】
前記スマートカードがカードタイプの電子パスポートである、請求項１に記載のスマートカード。
【請求項２０】
前記基板上に設けられた表示器をさらに備え、該表示器が前記プロセッサユニットに結合されるとともに、該表示器は、人物が認証された場合に、特定個人の顔を含む画像を表示するように構成された、請求項１に記載のスマートカード。
【請求項２１】
前記表示器は肯定的な結果を示す認証信号によって作動する、請求項２０に記載のスマートカード。
【請求項２２】
内部にスマートカードを備えたパスポートにおいて、該スマートカードは、
基板と、
前記基板上に設けられたセンサモジュールであって、
人体から生体情報を検出するように構成された生体計測センサと、
前記生体計測センサに結合されたプロセッサユニットであって、検出された生体情報に応答して人物を認証し、かつ認証結果を示す認証信号を生成するように構成されたプロセッサユニットと、
前記プロセッサユニットに結合されたメモリであって、スマートカードに関連する特定個人の生体情報を記憶するように構成されたメモリと、を含むセンサモジュールと、
前記プロセッサユニットに結合された無線トランシーバモジュールであって、前記プロセッサユニットから受けた信号を送信し、かつ無線送信された電力信号を受信するように構成された無線トランシーバモジュールと、
前記基板上に設けられた電力回路であって、受信した電力信号から１つ以上の電源電圧を生成して、該電源電圧を前記センサモジュールに供給するように構成された電力回路と、
を含む、パスポート。
【請求項２３】
前記生体計測センサがパスポートの表又は裏のカバーの内側において目視可能に配置されるように、前記スマートカードがパスポートの表又は裏のカバーに組み込まれている、請求項２２に記載のパスポート。
【請求項２４】
前記生体計測センサが前記内側において特定個人の写真及び個人データと干渉しないように、前記生体計測センサが前記内側に配置されている、請求項２３に記載のパスポート。
【請求項２５】
インジケータもまた表又は裏のカバーの前記内側において目視可能に配置されている、請求項２３に記載のパスポート。
【請求項２６】
スマートカードを所持する人物を認証するための方法であって、該スマートカードがその基板上に設けられたセンサモジュールを含み、該センサモジュールが生体計測センサ、プロセッサユニット及びメモリを含んでおり、
前記方法は、
前記基板上に設けられた無線トランシーバモジュールを介して電力信号を受信し、
前記電力信号から１つ以上の電源電圧を生成して該電源電圧を前記センサモジュールに供給し、
前記生体計測センサによって人体から生体情報を検出し、
検出された前記生体情報と、メモリに記憶された生体情報とを比較し、
前記比較の結果を示す認証信号を生成して、
前記認証信号を、無線トランシーバモジュールを介して送信すること、を含む方法。
【請求項２７】
前記センサモジュールがさらにインジケータを含んでおり、前記方法がさらに、
前記インジケータによって前記比較の結果を示すことを含む、請求項２６に記載の方法。
【請求項２８】
前記検出において、人物の指紋パターンを検出することを含む、請求項２６に記載の方法。
【請求項２９】
前記検出において、人物の像を捉えることを含み、
その像には、
人物の顔と、
人物の耳と、
人物の虹彩と、
人物の網膜と、
のうち、少なくとも１つが含まれる、請求項２６に記載の方法。
【請求項３０】
前記スマートカードの所持者が生きていることを、生体センサによって検出することをさらに含む、請求項２６に記載の方法。
【請求項３１】
前記センサモジュールを設定するために、コントロールインターフェースを介して外部コントロール信号を供給し、
前記コントロールインターフェースを介して前記スマートカードに関連する特定個人の生体情報を供給して、該生体情報をメモリに記憶させ、
前記外部コントロール信号を供給するとともに前記メモリに生体情報を記憶させた後で、前記コントロールインターフェースへの接続を無効化することをさらに含む、請求項２６に記載の方法。
【請求項３２】
特定個人の個人情報をメモリに記憶させることをさらに含む、請求項３１に記載の方法。
【請求項３３】
検出された生体情報が生体情報テンプレートと一致することが判明した場合に、前記メモリから、記憶されている個人情報を読み出し、
読み出された個人情報を示す個人情報信号を生成して、
前記無線トランシーバモジュールを介して前記個人情報信号を送信することをさらに含む、請求項３２に記載の方法。
【請求項３４】
前記スマートカードに設けられた発振回路を用いて、前記センサモジュールのためのクロック信号を生成することをさらに含む、請求項２６に記載の方法。
【請求項３５】
供給電圧が遮断された後で、増加する供給電圧についての予め決められたレベルに応じてセンサモジュールを初期化することをさらに含む、請求項２６に記載の方法。
【請求項３６】
前記認証信号を暗号化することをさらに含む、請求項２６に記載の方法。
【請求項３７】
パスポートを所持する人物を認証するための装置において、
その上に他の手段を支持するための手段であって、パスポートに組み込まれるように構成された手段と、
前記パスポートに関連する特定個人の生体情報を記憶するための記憶手段と、
人体から生体情報を検出するための検出手段と、
検出された生体情報に応えて人物を認証し、かつ認証結果を示す認証信号を生成するための認証手段と、
前記認証手段から受け取った信号を、無線で送信するための無線送信手段と、
無線送信された電力信号を受信するための手段と、
受信した前記電力信号から、他の手段のための供給電圧を生成する手段と、
を備えた、装置。
【請求項３８】
スマートカードを所持する人物を認証する端末モジュールであって、該スマートカードは、その基板上に設けられたセンサモジュールと、電力回路と、無線トランシーバモジュールと、を含み、該センサモジュールが、生体計測センサと、プロセッサユニットと、メモリと、を含んでおり、
前記端末モジュールが、
その上にスマートカードを支持するように構成された支持板と、
前記支持板上に設けられたアンテナと、を備え、該アンテナが前記スマートカードに電力を送信するように構成され、該電力が前記スマートカードの無線トランシーバモジュールによって受信され、前記スマートカードの無線トランシーバモジュールから送信された信号を受信するように構成された、端末モジュール。
【請求項３９】
前記スマートカードの無線トランシーバモジュールが、電力受信アンテナと、信号送信アンテナと、を含み、
前記スマートカードが前記支持板上に置かれた場合に、前記信号送信アンテナが実質的に前記アンテナと位置合わせされるように当該アンテナが前記支持板上に設けられた、請求項３８に記載の端末モジュール。
【請求項４０】
前記スマートカードから受け取った信号を復号化するように構成された復号化回路をさらに備えた、請求項３８に記載の端末モジュール。
【請求項４１】
コンピュータシステムに対するインターフェースをさらに備えた、請求項３８に記載の端末モジュール。
【請求項４２】
インターフェースが、
ユニバーサルシリアルバス（ＵＳＢ）規格と、
勧告基準２３２Ｃ（ＲＳ−２３２Ｃ）と、
勧告基準４３３（ＲＳ−４３３）と、
伝送制御プロトコル／インターネットプロトコル（ＴＣＰ／ＩＰ）と、
のうち、少なくとも１つと互換性がある、請求項３８に記載の端末モジュール。
【請求項４３】
前記アンテナが、
電力送信アンテナと、
信号受信アンテナと、
を含む、請求項３８に記載の端末モジュール。
【請求項４４】
前記スマートカードがパスポートに組み込まれるとともに、前記支持板が該パスポートを支持するのに適したサイズを有する、請求項３８に記載の端末モジュール。
【請求項４５】
パスポートを所持する人物を認証するシステムであって、パスポートに組み込まれたスマートカードを備え、該スマートカードが、
基板と、
前記基板上に設けられたセンサモジュールであって、
人体から生体情報を検出するように構成された生体計測センサと、
前記生体計測センサに結合されたプロセッサユニットであって、検出された生体情報に応答して人物を認証し、かつ認証結果を示す認証信号を生成するように構成されたプロセッサユニットと、
前記プロセッサユニットに結合されたメモリであって、前記スマートカードに関連する特定個人の生体情報を記憶するように構成されたメモリと、を含むセンサモジュールと、
前記プロセッサユニットに結合された無線トランシーバモジュールであって、前記プロセッサユニットから受けた信号を送信し、かつ無線送信された電力信号を受信するように構成された無線トランシーバモジュールと、
前記基板上に設けられた電力回路であって、受信した電力信号から電源電圧を生成して、該電源電圧を前記センサモジュールに供給するように構成された電力回路と、
を備えており、
さらに、
前記スマートカードをその上に支持するように構成された支持板と、
前記支持板上に設けられたアンテナであって、電力信号を前記スマートカードに送信し、該スマートカードの無線トランシーバモジュールから送信された信号を受信するように構成されたアンテナと、を含む端末モジュールを備えたシステム。
【請求項４６】
前記無線トランシーバモジュールが、
前記電力回路に結合された電力アンテナと、
前記プロセッサユニットに結合された信号アンテナと、
を含む、請求項４５に記載のシステム。
【請求項４７】
前記スマートカードが前記端末モジュール上に置かれる場合に、前記信号アンテナが、前記端末モジュールの前記アンテナのループ又は配線に近接した位置に置かれる、請求項４６に記載のシステム。
【国際調査報告】
2007535073.tif 000024
2007535073.tif 000025